(57)【要約】      （修正有）【課題】電子割符ソフトウエア提供会社の端末、当該端末による電子割符ソフトウエア提供方法、電子割符ソフトウエア提供・利用システム及び電子割符ソフトウエア提供・利用システムによる電子割符ソフトウエア提供・利用方法を提供する。【解決手段】電子割符ソフトウエア提供会社の電子割符ソフトウエアを提供する端末が、ダウンロード許可確認に基づいて、連携クライアント端末に、電子割符ソフトウエアをダウンロードさせて提供し、連携クライアント端末のインストール受信情報をクライアントＩＤコードの設定されたクライアント端末に発信させて、連携クライアント端末での割符形成復元させる処理を可能とさせ、クライアント端末から、クライアント端末群がインストールしたインストール受信回数をインストール受信回数統計情報として取得する。【選択図】図４
2019021301.tif 000002
【特許請求の範囲】
【請求項１】
端末で実行させるためのコンピュータプログラムを記録したコンピュータ読み取り可能な電子割符ソフトウエア提供会社の電子割符ソフトウエアを提供する端末であって、
電子割符ソフトウエア提供会社の電子割符ソフトウエアを提供する端末が、記憶手段、演算処理手段及び入出力手段を備え、クライアントごとにクライアント端末及び当該クライアント端末によって管理され、連携される連携クライアント端末から構成されるクライアント端末群にそれぞれ接続可能とされ、
記憶手段に、電子割符ソフトウエア提供会社から発行され、クライアントを示すクライアントＩＤコード及び当該クライアントＩＤコードに組み合わされた、クライアント内の部署を示す部署コードからなるクライアントコード情報、及び割符設定環境を表す割符設定環境コード情報を含んで構成され、電子割符ソフトウエア提供会社とクライアントとの間で締結された契約で定められた電子割符ソフトウエアのダウンロードを許可するに際して用いられるライセンスキー情報、クライアントＩＤコードが設定されたクライアント端末と、部署コードが設定され、クライアント端末にクライアントＩＤコードで連携される連携クライアント端末とからなるクライアント端末群、割符設定環境コード情報に関連付けられた、電子情報を割符に分割させ、保存させ、そして保存され、分割された割符から元の電子情報に復元させる当該電子割符ソフトウエアが登録され、
入出力手段が、前記クライアント端末群を構成する連携クライアント端末のいずれから、クライアントＩＤコード、部署コード及び割符設定環境コードを持つライセンスキーに基づいて、クライアント端末を介することなく電子割符ソフトウエアの提供要求を受け、
演算処理手段が、
クライアントＩＤコード、部署コード及び割符設定環境コードを持つライセンスキーに基づいた電子割符ソフトウエアの提供要求があったときに、当該ライセンスキーが電子割符ソフトウエア提供会社発行の、クライアントＩＤコード、部署コード及び割符設定環境コードを持つライセンスキーと同一であることを確認し、確認することで、当該連携クライアント端末が、ライセンスキーの割符設定環境コード情報に関連された電子割符ソフトウエアをインストール可能な連携クライアント端末であることを確認するダウンロード許可確認情報を取得し、
ダウンロード許可確認に基づいて、当該連携クライアント端末に、クライアント端末を介することなく当該電子割符ソフトウエアをダウンロードして提供して、当該連携クライアント端末での割符形成復元させる処理を可能とさせ、当該連携クライアント端末からのインストール受信情報に基づいて、当該クライアント端末が統計した、クライアント端末群がインストールしたインストール受信回数をからなるインストール受信回数統計情報を取得すること
を特徴とする電子割符ソフトウエア提供会社の電子割符ソフトウエアを提供する端末。
【請求項２】
電子割符ソフトウエア提供会社の端末から当該端末に接続されたクライアント端末群に、端末で実行させるためのコンピュータプログラムを記録したコンピュータ読み取り可能な電子割符ソフトウエアを提供・利用する電子割符ソフトウエア提供・利用システムであって、
端末で実行させるためのコンピュータプログラムを記録したコンピュータ読み取り可能な電子割符ソフトウエアを提供する電子割符ソフトウエア提供会社の電子割符ソフトウエアを提供する端末であって、
記憶手段、演算処理手段及び入出力手段を備え、クライアントごとにクライアント端末及び当該クライアント端末に連携される連携クライアント端末から構成されるクライアント端末群にそれぞれ接続可能とされ、
記憶手段に、電子割符ソフトウエア提供会社から発行され、クライアントを示すクライアントＩＤコード及び当該クライアントＩＤコードに組み合わされた、クライアント内の部署を示す部署コードからなるクライアントコード情報、及び割符設定環境を表す割符設定環境コード情報を含んで構成され、電子割符ソフトウエア提供会社とクライアントとの間で締結された契約で定められた電子割符ソフトウエアのダウンロードを許可するに際して用いられるライセンスキー情報、クライアントＩＤコードが設定されたクライアント端末と、部署コードが設定され、クライアント端末にクライアントＩＤコードで連携される連携クライアント端末とからなるクライアント端末群、割符設定環境コード情報に関連付けられた、電子情報を割符に分割させ、保存させ、そして保存され、分割された割符から元の電子情報に復元させる当該電子割符ソフトウエアが登録され、
入出力手段が、前記クライアント端末群を構成する連携クライアント端末のいずれから、クライアントＩＤコード、部署コード及び割符設定環境コードを持つライセンスキーに基づいて、クライアント端末を介することなく電子割符ソフトウエアの提供要求を受け、
演算処理手段が、
クライアントＩＤコード、部署コード及び割符設定環境コードを持つライセンスキーに基づいた電子割符ソフトウエアの提供要求があったときに、当該ライセンスキーが電子割符ソフトウエア提供会社発行の、クライアントＩＤコード、部署コード及び割符設定環境コードを持つライセンスキーと同一であることを確認し、確認することで、当該連携クライアント端末が、ライセンスキーの割符設定環境コード情報によって管理された電子割符ソフトウエアをインストール可能な連携クライアント端末であることを確認するダウンロード許可確認情報を取得する電子割符ソフトウエア提供会社の電子割符ソフトウエアを提供する端末と、
クライアントＩＤコードが設定されたクライアント端末及び部署コードが設定され、当該クライアント端末にクライアントＩＤコードで連携される連携クライアント端末からなるクライアント端末群と、からなり、
前記電子割符ソフトウエア提供会社の電子割符ソフトウエアを提供する端末が、ダウンロード許可確認に基づいて、当該連携クライアント端末に、クライアント端活を介することなく当該電子割符ソフトウエアをダウンロードして提供して、当該連携クライアント端末での割符形成復元させる処理を可能とさせ、当該連携クライアント端末からのインストール受信情報に基づいて、当該クライアント端末が統計した、クライアント端末群がインストールしたインストール受信回数をからなるインストール受信回数統計情報を取得し、
前記連携クライアント端末が、割符設定環境コード情報に関連付けられ、前記クライアント端末を介することなくインストールした電子割符ソフトウエアでもって、電子情報を割符に分割し、保存し、そして保存し、分割した割符から元の電子情報に復元することを可能とし、電子割符ソフトウエアをインストールしたことを前記クライアント端末に通信し、
前記クライアント端末が、クライアント端末群がインストールしたインストール受信回数をからなるインストール受信回数統計情報を統計し、インストール受信回数統計情報を電子割符ソフトウエア提供会社の端末に取得させること
を特徴とする電子割符ソフトウエア提供システム。
【請求項３】
端末で実行させるためのコンピュータプログラムを記録したコンピュータ読み取り可能な電子割符ソフトウエアを提供する、電子割符ソフトウエア提供会社の端末であって、
記憶手段、演算処理手段及び入出力手段を備え、クライアントごとにクライアント端末及び当該クライアント端末に連携される連携クライアント端末から構成されるクライアント端末群にそれぞれ接続可能とされる電子割符ソフトウエア提供会社の電子割符ソフトウエアを提供する端末による電子割符ソフトウエアの提供方法において、
記憶手段に、電子割符ソフトウエア提供会社から発行され、クライアントを示すクライアントＩＤコード及び当該クライアントＩＤコードに組み合わされた、クライアント内の部署を示す部署コードからなるクライアントコード情報、及び割符設定環境を表す割符設定環境コード情報を含んで構成され、電子割符ソフトウエア提供会社とクライアントとの間で締結された契約で定められた電子割符ソフトウエアのダウンロードを許可するに際して用いられるライセンスキー情報、クライアントＩＤコードが設定されたクライアント端末と、部署コードが設定され、クライアント端末にクライアントＩＤコードで連携される連携クライアント端末とからなるクライアント端末群、割符設定環境コード情報に関連付けられた、電子情報を割符に分割させ、保存させ、そして保存され、分割された割符から元の電子情報に復元させる当該電子割符ソフトウエアが登録され、
入出力手段が、前記クライアント端末群を構成する連携クライアント端末のいずれから、クライアントＩＤコード、部署コード及び割符設定環境コードを持つライセンスキーに基づいて、クライアント端末を介することなく電子割符ソフトウエアの提供要求を受け、
演算処理手段が、
演算処理手段が、
クライアントＩＤコード、部署コード及び割符設定環境コードを持つライセンスキーに基づいた電子割符ソフトウエアの提供要求があったときに、当該ライセンスキーが電子割符ソフトウエア提供会社発行の、クライアントＩＤコード、部署コード及び割符設定環境コードを持つライセンスキーと同一であることを確認し、確認することで、当該連携クライアント端末が、ライセンスキーの割符設定環境コード情報によって管理された電子割符ソフトウエアをインストール可能な連携クライアント端末であることを確認するダウンロード許可確認情報を取得し、
ダウンロード許可確認に基づいて、当該連携クライアント端末に、クライアント端末を介することなく当該電子割符ソフトウエアをダウンロードして提供して、当該連携クライアント端末での割符形成復元させる処理を可能とさせ、当該連携クライアント端末からのインストール受信情報に基づいて、当該クライアント端末が統計した、クライアント端末群がインストールしたインストール受信回数をからなるインストール受信回数統計情報を取得すること
を特徴とする割符ソフトウエア提供会社の電子割符ソフトウエアを提供する端末による電子割符ソフトウエアの提供方法。
【請求項４】
電子割符ソフトウエア提供会社の端末から当該端末に接続されたクライアント端末群に、端末で実行させるためのコンピュータプログラムを記録したコンピュータ読み取り可能な電子割符ソフトウエアを提供・利用する電子割符ソフトウエア提供・利用システムであって、
端末で実行させるためのコンピュータプログラムを記録したコンピュータ読み取り可能な電子割符ソフトウエアを提供する電子割符ソフトウエア提供会社の電子割符ソフトウエアを提供する端末であって、
記憶手段、演算処理手段及び入出力手段を備え、クライアントごとにクライアント端末及び当該クライアント端末に連携される連携クライアント端末から構成されるクライアント端末群にそれぞれ接続可能とされ、
記憶手段に、電子割符ソフトウエア提供会社から発行され、クライアントを示すクライアントＩＤコード及び当該クライアントＩＤコードに組み合わされた、クライアント内の部署を示す部署コードからなるクライアントコード情報、及び割符設定環境を表す割符設定環境コード情報を含んで構成され、電子割符ソフトウエア提供会社とクライアントとの間で締結された契約で定められた電子割符ソフトウエアのダウンロードを許可するに際して用いられるライセンスキー情報、クライアントＩＤコードが設定されたクライアント端末と、部署コードが設定され、クライアント端末にクライアントＩＤコードで連携される連携クライアント端末とからなるクライアント端末群、割符設定環境コード情報に関連付けられた、電子情報を割符に分割させ、保存させ、そして保存され、分割された割符から元の電子情報に復元させる当該電子割符ソフトウエアが登録され、
入出力手段が、前記クライアント端末群を構成する連携クライアント端末のいずれから、クライアントＩＤコード、部署コード及び割符設定環境コードを持つライセンスキーに基づいて、クライアント端末を介することなく電子割符ソフトウエアの提供要求を受け、
演算処理手段が、
クライアントＩＤコード、部署コード及び割符設定環境コードを持つライセンスキーに基づいた電子割符ソフトウエアの提供要求があったときに、当該ライセンスキーが電子割符ソフトウエア提供会社発行の、クライアントＩＤコード、部署コード及び割符設定環境コードを持つライセンスキーと同一であることを確認し、確認することで、当該連携クライアント端末が、ライセンスキーの割符設定環境コード情報に関連された電子割符ソフトウエアをインストール可能な連携クライアント端末であることを確認するダウンロード許可確認情報を取得する電子割符ソフトウエア提供会社の電子割符ソフトウエアを提供する端末と、
クライアントＩＤコードが設定されたクライアント端末及び部署コードが設定され、当該クライアント端末にクライアントＩＤコードで連携される連携クライアント端末からなるクライアント端末群と、からなる電子割符ソフトウエア提供・利用システムによる電子割符ソフトウエアの提供・利用方法において、
前記電子割符ソフトウエア提供会社の電子割符ソフトウエアを提供する端末が、ウンロード許可確認に基づいて、当該連携クライアント端末に、クライアント端末を介することなく当該電子割符ソフトウエアをダウンロードして提供して、当該連携クライアント端末での割符形成復元させる処理を可能とさせ、当該連携クライアント端末からのインストール受信情報に基づいて、当該クライアント端末が統計した、クライアント端末群がインストールしたインストール受信回数をからなるインストール受信回数統計情報を取得し、
前記連携クライアント端末が、割符設定環境コード情報に関連付けられ、前記クライアント端末を介することなくインストールした電子割符ソフトウエアでもって、電子情報を割符に分割し、保存し、そして保存し、分割した割符から元の電子情報に復元することを可能とし、電子割符ソフトウエアをインストールしたことを前記クライアント端末に通信し、
前記クライアント端末が、クライアント端末群がインストールしたインストール受信回数をからなるインストール受信回数統計情報を統計し、インストール受信回数統計情報を電子割符ソフトウエア提供会社の端末に取得させること
を特徴とする電子割符ソフトウエアの提供・利用システムによる電子割符ソフトウエアの提供・利用方法。
【発明の詳細な説明】
【技術分野】
【０００１】
本発明は、電子割符ソフトウエアを提供する電子割符ソフトウエア提供会社の端末、当該端末による電子割符ソフトウエア提供方法、電子割符ソフトウエア提供・利用システム及び電子割符ソフトウエア提供・利用システムによる電子割符ソフトウエア提供・利用方法に関する。
【背景技術】
【０００２】
電子データ、電磁気媒体で電子データを社外に持ち出す場合、盗難、置き忘れ、紛失事故等の情報漏洩の危険が伴う。しかし、持ち出しやハンドキャリングそのものを規制し管理することには困難がある。セキュリテイの度合いと業務における利便性はトレードオフの関係にあるといわれている。秘密情報分散システムとしての電子割符を導入することで、このセキュリテイ問題を解決することが提案される。割符を利用する場合、ファイルを分割した時点でデータとしての体をなしていないため、単なる意味のないビット集合体によるごみデータとしかみ見なされず、割符の形で情報が流出しても復元が不可能なために、重大なインシデントにはならず、秘密情報分散システムとしての電子割符は、情報資産の流出を防ぐ最適なソリューションといわれている。
【０００３】
秘密情報分散システムとしての電子割符は、一つの電子情報について、分割された一方のデータからは、情報が復元できない方法によってファイルを二つ以上に分割し、それぞれ暗号化を施したうえで、一方を電子メール、他方をＵＳＢフラッシュメモリーなどの外部電磁的記憶媒体を利用するのがよいとされている。
【０００４】
特許文献１には、割符ファイル生成プログラム及び方法、並びにデータ復元プログラム及び方法が記載される。
【０００５】
特許文献２には、機密情報を復元する際に、必要数の割符データを収集し、割符副データ基づいて復元可否判定を行い、判定結果が「復元可」の場合に機密情報Ｓを復元し、判定結果が「復元不可」の場合には、機密情報Ｓを復元することができないことが記載される。
【０００６】
特許文献３には、複数のノードがライセンスキーを共有することが記載される。
特許文献４には、コンポーネントの利用制限を内容したライセンス管理システムが記載される。
【先行技術文献】
【特許文献】
【０００７】
【特許文献１】特許第５３９７０６２号公報
【特許文献２】特許第４８６８１３１号公報
【特許文献３】特許第５１７７８５２号公報
【特許文献４】特開２００４−２９５８４６号公報
【発明の概要】
【発明が解決しようとする課題】
【０００８】
特許文献１あるいは２に示されるように、電子情報ファイルを、複数の電子割符データに分割させ、分割された電子割符データを、分割された電子割符データごとに割符保存場所に保存させ、分割され保存された電子割符データから元の電子情報ファイルに復元させる電子割符ソフトウエアが用いられる。電子割符ソフトウエアによって、割符ファイル生成プログラム及び方法、並びにデータ復元プログラム及び方法が提供される。電子割符ソフトウエアが電子割符ソフトウエア提供会社端末からクライアント側電子情報漏洩対策装置を備えたクライアント端末に提供される。この提供に際して、電子割符ソフトウエア提供会社は、クライアントから電子割符ソフトウエアの提供依頼があると、クライアントとの間で電子割符ソフトウエアの提供のための契約を締結することになる。この場合に、当該クライアントに属するクライアント端末の全てについて、一つ一つ契約を締結していく方法では煩雑であり、サービス提供の利点からも問題がある。上述の特許文献１、２は、サービス提供の利便性の向上について言及しない。特許文献３、４は、クライアントに属するクライアント群に電子割符ソフトウエアを直接的に迅速に提供することについて言及しない。
【０００９】
本発明は、かかる点に鑑みクライアントに属する、電子割符ソフトウエアの提供を希望するクライアント端末群について、一つ一つ契約を締結してダウンロード、インストールしていく方法一つ一つ対価処理する方法による煩雑さを無くし、電子割符ソフトウエアが電子割符ソフトウエア提供会社端末から電子割符ソフトウエアの提供を希望するクライアント端末群のそれぞれに直接的に迅速に提供されるようにすることを目的とする。
【課題を解決するための手段】
【００１０】
本発明は、端末で実行させるためのコンピュータプログラムを記録したコンピュータ読み取り可能な電子割符ソフトウエア提供会社の電子割符ソフトウエアを提供する端末であって、
電子割符ソフトウエア提供会社の電子割符ソフトウエアを提供する端末が、記憶手段、演算処理手段及び入出力手段を備え、クライアントごとにクライアント端末及び当該クライアント端末によって管理され、連携される連携クライアント端末から構成されるクライアント端末群にそれぞれ接続可能とされ、
記憶手段に、電子割符ソフトウエア提供会社から発行され、クライアントを示すクライアントＩＤコード及び当該クライアントＩＤコードに組み合わされた、クライアント内の部署を示す部署コードからなるクライアントコード情報、及び割符設定環境を表す割符設定環境コード情報を含んで構成され、電子割符ソフトウエア提供会社とクライアントとの間で締結された契約で定められた電子割符ソフトウエアのダウンロードを許可するに際して用いられるライセンスキー情報、クライアントＩＤコードが設定されたクライアント端末と、部署コードが設定され、クライアント端末にクライアントＩＤコードで連携される連携クライアント端末とからなるクライアント端末群、割符設定環境コード情報に関連付けられた、電子情報を割符に分割させ、保存させ、そして保存され、分割された割符から元の電子情報に復元させる当該電子割符ソフトウエアが登録され、
入出力手段が、前記クライアント端末群を構成する連携クライアント端末のいずれから、クライアントＩＤコード、部署コード及び割符設定環境コードを持つライセンスキーに基づいて、クライアント端末を介することなく電子割符ソフトウエアの提供要求を受け、
演算処理手段が、
クライアントＩＤコード、部署コード及び割符設定環境コードを持つライセンスキーに基づいた電子割符ソフトウエアの提供要求があったときに、当該ライセンスキーが電子割符ソフトウエア提供会社発行の、クライアントＩＤコード、部署コード及び割符設定環境コードを持つライセンスキーと同一であることを確認し、確認することで、当該連携クライアント端末が、ライセンスキーの割符設定環境コード情報によって管理された電子割符ソフトウエアをインストール可能な連携クライアント端末であることを確認するダウンロード許可確認情報を取得し、
ダウンロード許可確認に基づいて、当該連携クライアント端末に、クライアント端末を介することなく当該電子割符ソフトウエアをダウンロードして提供して、当該連携クライアント端末での割符形成復元させる処理を可能とさせ、当該連携クライアント端末からのインストール受信情報に基づいて、当該クライアント端末が統計した、クライアント端末群がインストールしたインストール受信回数をからなるインストール受信回数統計情報を取得すること
を特徴とする電子割符ソフトウエア提供会社の電子割符ソフトウエアを提供する端末を提供する。
本発明は、電子割符ソフトウエア提供会社の端末から当該端末に接続されたクライアント端末群に、端末で実行させるためのコンピュータプログラムを記録したコンピュータ読み取り可能な電子割符ソフトウエアを提供・利用する電子割符ソフトウエア提供・利用システムであって、
端末で実行させるためのコンピュータプログラムを記録したコンピュータ読み取り可能な電子割符ソフトウエアを提供する電子割符ソフトウエア提供会社の電子割符ソフトウエアを提供する端末であって、
記憶手段、演算処理手段及び入出力手段を備え、クライアントごとにクライアント端末及び当該クライアント端末に連携される連携クライアント端末から構成されるクライアント端末群にそれぞれ接続可能とされ、
記憶手段に、電子割符ソフトウエア提供会社から発行され、クライアントを示すクライアントＩＤコード及び当該クライアントＩＤコードに組み合わされた、クライアント内の部署を示す部署コードからなるクライアントコード情報、及び割符設定環境を表す割符設定環境コード情報を含んで構成され、電子割符ソフトウエア提供会社とクライアントとの間で締結された契約で定められた電子割符ソフトウエアのダウンロードを許可するに際して用いられるライセンスキー情報、クライアントＩＤコードが設定されたクライアント端末と、部署コードが設定され、クライアント端末にクライアントＩＤコードで連携される連携クライアント端末とからなるクライアント端末群、割符設定環境コード情報に関連付けられた、電子情報を割符に分割させ、保存させ、そして保存され、分割された割符から元の電子情報に復元させる当該電子割符ソフトウエアが登録され、
入出力手段が、前記クライアント端末群を構成する連携クライアント端末のいずれから、クライアントＩＤコード、部署コード及び割符設定環境コードを持つライセンスキーに基づいて、クライアント端末を介することなく電子割符ソフトウエアの提供要求を受け、
演算処理手段が、
クライアントＩＤコード、部署コード及び割符設定環境コードを持つライセンスキーに基づいた電子割符ソフトウエアの提供要求があったときに、当該ライセンスキーが電子割符ソフトウエア提供会社発行の、クライアントＩＤコード、部署コード及び割符設定環境コードを持つライセンスキーと同一であることを確認し、確認することで、当該連携クライアント端末が、ライセンスキーの割符設定環境コード情報に関連された電子割符ソフトウエアをインストール可能な連携クライアント端末であることを確認するダウンロード許可確認情報を取得する電子割符ソフトウエア提供会社の電子割符ソフトウエアを提供する端末と、
クライアントＩＤコードが設定されたクライアント端末及び部署コードが設定され、当該クライアント端末にクライアントＩＤコードで連携される連携クライアント端末からなるクライアント端末群と、からなり、
前記電子割符ソフトウエア提供会社の電子割符ソフトウエアを提供する端末が、ダウンロード許可確認に基づいて、当該連携クライアント端末に、クライアント端活を介することなく当該電子割符ソフトウエアをダウンロードして提供して、当該連携クライアント端末での割符形成復元させる処理を可能とさせ、当該連携クライアント端末からのインストール受信情報に基づいて、当該クライアント端末が統計した、クライアント端末群がインストールしたインストール受信回数をからなるインストール受信回数統計情報を取得し、
前記連携クライアント端末が、割符設定環境コード情報に関連付けられ、前記クライアント端末を介することなくインストールした電子割符ソフトウエアでもって、電子情報を割符に分割し、保存し、そして保存し、分割した割符から元の電子情報に復元することを可能とし、電子割符ソフトウエアをインストールしたことを前記クライアント端末に通信し、
前記クライアント端末が、クライアント端末群がインストールしたインストール受信回数をからなるインストール受信回数統計情報を統計し、インストール受信回数統計情報を電子割符ソフトウエア提供会社の端末に取得させること
を特徴とする電子割符ソフトウエア提供システムを提供する。
本発明は、端末で実行させるためのコンピュータプログラムを記録したコンピュータ読み取り可能な電子割符ソフトウエアを提供する、電子割符ソフトウエア提供会社の端末であって、
記憶手段、演算処理手段及び入出力手段を備え、クライアントごとにクライアント端末及び当該クライアント端末に連携される連携クライアント端末から構成されるクライアント端末群にそれぞれ接続可能とされる電子割符ソフトウエア提供会社の電子割符ソフトウエアを提供する端末による電子割符ソフトウエアの提供方法において、
記憶手段に、電子割符ソフトウエア提供会社から発行され、クライアントを示すクライアントＩＤコード及び当該クライアントＩＤコードに組み合わされた、クライアント内の部署を示す部署コードからなるクライアントコード情報、及び割符設定環境を表す割符設定環境コード情報を含んで構成され、電子割符ソフトウエア提供会社とクライアントとの間で締結された契約で定められた電子割符ソフトウエアのダウンロードを許可するに際して用いられるライセンスキー情報、クライアントＩＤコードが設定されたクライアント端末と、部署コードが設定され、クライアント端末にクライアントＩＤコードで連携される連携クライアント端末とからなるクライアント端末群、割符設定環境コード情報に関連付けられた、電子情報を割符に分割させ、保存させ、そして保存され、分割された割符から元の電子情報に復元させる当該電子割符ソフトウエアが登録され、
入出力手段が、前記クライアント端末群を構成する連携クライアント端末のいずれから、クライアントＩＤコード、部署コード及び割符設定環境コードを持つライセンスキーに基づいて、クライアント端末を介することなく電子割符ソフトウエアの提供要求を受け、
演算処理手段が、
クライアントＩＤコード、部署コード及び割符設定環境コードを持つライセンスキーに基づいた電子割符ソフトウエアの提供要求があったときに、当該ライセンスキーが電子割符ソフトウエア提供会社発行の、クライアントＩＤコード、部署コード及び割符設定環境コードを持つライセンスキーと同一であることを確認し、確認することで、当該連携クライアント端末が、ライセンスキーの割符設定環境コード情報に関連された電子割符ソフトウエアをインストール可能な連携クライアント端末であることを確認するダウンロード許可確認情報を取得し、
ダウンロード許可確認に基づいて、当該連携クライアント端末に、クライアント端末を介することなく当該電子割符ソフトウエアをダウンロードして提供して、当該連携クライアント端末での割符形成復元させる処理を可能とさせ、当該連携クライアント端末からのインストール受信情報に基づいて、当該クライアント端末が統計した、クライアント端末群がインストールしたインストール受信回数をからなるインストール受信回数統計情報を取得すること
を特徴とする割符ソフトウエア提供会社の電子割符ソフトウエアを提供する端末による電子割符ソフトウエアの提供方法を提供する。
本発明は、電子割符ソフトウエア提供会社の端末から当該端末に接続されたクライアント端末群に、端末で実行させるためのコンピュータプログラムを記録したコンピュータ読み取り可能な電子割符ソフトウエアを提供・利用する電子割符ソフトウエア提供・利用システムであって、
端末で実行させるためのコンピュータプログラムを記録したコンピュータ読み取り可能な電子割符ソフトウエアを提供する電子割符ソフトウエア提供会社の電子割符ソフトウエアを提供する端末であって、
記憶手段、演算処理手段及び入出力手段を備え、クライアントごとにクライアント端末及び当該クライアント端末に連携される連携クライアント端末から構成されるクライアント端末群にそれぞれ接続可能とされ、
記憶手段に、電子割符ソフトウエア提供会社から発行され、クライアントを示すクライアントＩＤコード及び当該クライアントＩＤコードに組み合わされた、クライアント内の部署を示す部署コードからなるクライアントコード情報、及び割符設定環境を表す割符設定環境コード情報を含んで構成され、電子割符ソフトウエア提供会社とクライアントとの間で締結された契約で定められた電子割符ソフトウエアのダウンロードを許可するに際して用いられるライセンスキー情報、クライアントＩＤコードが設定されたクライアント端末と、部署コードが設定され、クライアント端末にクライアントＩＤコードで連携される連携クライアント端末とからなるクライアント端末群、割符設定環境コード情報に関連付けられた、電子情報を割符に分割させ、保存させ、そして保存され、分割された割符から元の電子情報に復元させる当該電子割符ソフトウエアが登録され、
入出力手段が、前記クライアント端末群を構成する連携クライアント端末のいずれから、クライアントＩＤコード、部署コード及び割符設定環境コードを持つライセンスキーに基づいて、クライアント端末を介することなく電子割符ソフトウエアの提供要求を受け、
演算処理手段が、
クライアントＩＤコード、部署コード及び割符設定環境コードを持つライセンスキーに基づいた電子割符ソフトウエアの提供要求があったときに、当該ライセンスキーが電子割符ソフトウエア提供会社発行の、クライアントＩＤコード、部署コード及び割符設定環境コードを持つライセンスキーと同一であることを確認し、確認することで、当該連携クライアント端末が、ライセンスキーの割符設定環境コード情報によって管理された電子割符ソフトウエアをインストール可能な連携クライアント端末であることを確認するダウンロード許可確認情報を取得する電子割符ソフトウエア提供会社の電子割符ソフトウエアを提供する端末と、
クライアントＩＤコードが設定されたクライアント端末及び部署コードが設定され、当該クライアント端末にクライアントＩＤコードで連携される連携クライアント端末からなるクライアント端末群と、からなる電子割符ソフトウエア提供・利用システムによる電子割符ソフトウエアの提供・利用方法において、
前記電子割符ソフトウエア提供会社の電子割符ソフトウエアを提供する端末が、ウンロード許可確認に基づいて、当該連携クライアント端末に、クライアント端末を介することなく当該電子割符ソフトウエアをダウンロードして提供して、当該連携クライアント端末での割符形成復元させる処理を可能とさせ、当該連携クライアント端末からのインストール受信情報に基づいて、当該クライアント端末が統計した、クライアント端末群がインストールしたインストール受信回数をからなるインストール受信回数統計情報を取得し、
前記連携クライアント端末が、割符設定環境コード情報に関連付けられ、前記クライアント端末を介することなくインストールした電子割符ソフトウエアでもって、電子情報を割符に分割し、保存し、そして保存し、分割した割符から元の電子情報に復元することを可能とし、電子割符ソフトウエアをインストールしたことを前記クライアント端末に通信し、
前記クライアント端末が、クライアント端末群がインストールしたインストール受信回数をからなるインストール受信回数統計情報を統計し、インストール受信回数統計情報を電子割符ソフトウエア提供会社の端末に取得させること
を特徴とする電子割符ソフトウエアの提供・利用システムによる電子割符ソフトウエアの提供・利用方法を提供する。
【発明の効果】
【００１１】
本発明によれば、前記電子割符ソフトウエア提供会社の電子割符ソフトウエアを提供する端末が、ダウンロード許可確認に基づいて、当該連携クライアント端末に、クライアント端末を介することなく当該電子割符ソフトウエアをダウンロードして提供し、当該連携クライアント端末のインストール受信情報を当該クライアントＩＤコードの設定されたクライアント端末に発信させて、当該連携クライアント端末での割符形成復元させる処理を可能とさせ、当該クライアント端末が統計した、クライアント端末群がインストールしたインストール受信回数をからなるインストール受信回数統計情報を取得することができる。
前記連携クライアント端末が、割符設定環境コード情報に関連付けられ、クライアント端末を介することなくインストールした電子割符ソフトウエアでもって、電子情報を割符に分割し、保存し、そして保存し、分割した割符から元の電子情報に復元することを可能とし、前記クライアント端末が、クライアント端末群がインストールしたインストール受信回数をからなるインストール受信回数統計情報を統計し、インストール受信回数統計情報を電子割符ソフトウエア提供会社の端末に提供、取得させる。
クライアントＩＤごとに当該クライアントＩＤで連携されるクライアント端末からの電子割符ソフトウエア提供要求に対して、特定されたる電子割符ソフトウエアを、電子割符ソフトウエア提供会社の電子割符ソフトウエアを提供する端末からクライアント端末群のいずれかに直接的に迅速にダウンロードして提供することができ、対価処理に際して当該連携クライアントが電子割符ソフトウエアを一つ一つ契約を締結していく方法による煩雑さを避けることができ利用上の利便性が向上する。
【図面の簡単な説明】
【００１２】
【図１】本発明の概要を説明する概要図
【図２】ライセンスキーの構造形態を示す図
【図３】各社、部門に設定される要件の例を示す図
【図４】電子割符ソフトウエア提供会社、クライアント及びクライアント内の部署間における電子割符提供・利用状況を示す図
【図５】本発明の実施例をブロックで示すブロック図
【図６】本発明の内容を説明する図
【図７】割符情報と復元化のための情報の組み合わせの例を示す図
【図８】アクテイベーション処理を示す図
【図９】割符基本設定を示す図
【図１０】割符対象設定のための割符対象のファイルタイプ及び割符対象のフォルダパスを説明する図
【図１１】ユーザＩＤ，パスワードを設定する図
【図１２】ＵＳＢリスト登録を示す図
【図１３】管理サーバ設定を示す図
【発明を実施するための形態】
【００１３】
以下、本発明の実施例を図面に基づいて説明する。
【００１４】
図１は、本発明の概要を説明する概要図である。
【００１５】
図１は、電子情報漏洩対策システム１００を示す。電子情報漏洩対策システム１００が、ＡＳＰモデル、すなわちアプリケーションサービスプロバイダー（Application Service Provider）の形態で示される。
【００１６】
図１において、電子割符ソフトウエア（インストールプログラム）がアプリケーションサービスとして、電子割符ソフトウエア提供会社（電子割符ソフトウエア提供者）１からクライアント２に提供される。電子割符ソフトウエア提供会社（電子割符ソフトウエア提供者）１は、電子割符ソフトウエア提供会社の端末３を有し、クライアント２は、その内部に設置されたクライアント端末群４を有する。電子割符ソフトウエア提供会社の端末は、端末で実行させるためのコンピュータプログラムを記録したコンピュータ読み取り可能な電子割符ソフトウエアを提供する。このように、電子割符ソフトウエア提供会社の端末は、電子割符ソフトウエアを提供する端末である。
【００１７】
電子割符ソフトウエア提供会社の端末３は、その内部に電子情報漏洩対策支援装置５を備え、クライアント端末４は、電子情報漏洩対策支援装置５からの電子情報漏洩対策用の電子割符ソフトウエアの支援提供を受けて、その内部に電子情報漏洩対策装置６を構成する。ここでは、電子割符ソフトウエア提供会社の電子情報漏洩対策支援装置を電子情報漏洩対策支援装置５と呼ぶ。クライアントの電子情報漏洩対策装置を電子情報漏洩対策装置６と呼ぶ。電子情報漏洩対策支援装置５と電子情報漏洩対策装置６とから、電子情報漏洩対策システム１００が構成される。電子情報漏洩対策装置６が電子情報漏洩対策支援装置５からの電子割符ソフトウエア提供支援を受けて構成され、クライアント端末群４での電子割符ソフトウエア利用による電子情報漏洩対策が可能になる。
図１において、電子割符ソフトウエア提供会社の電子割符ソフトウエアを提供する端末３と、当該端末に、ライセンスキーに基づいて接続されたクライアント端末群であって、電子割符ソフトウエアの提供された回数を一括して統計、一括経理処理できるクライアント端末群４と、から電子割符ソフトウエア提供・利用システムである電子情報漏洩対策システム１００が構成され、端末で実行させるためのコンピュータプログラムを記録したコンピュータ読み取り可能な電子割符ソフトウエアが提供・利用される。
【００１８】
電子割符ソフトウエア提供会社１は、図２に示されるライセンスキー８を発行する。ライセンスキー８の発行は、電子割符ソフトウエア提供会社１とクライアント２と間で電子割符提供・利用のための契約１０が締結されたときに発行され、電子割符ソフトウエア提供会社１の電子割符ソフトウエアを提供する端末３は、クライアント端末群のいずれかのクライアント端末（１）〜（４）他からのライセンスキー８を伴う電子割符ソフトウエア提供を受付ける。
電子割符ソフトウエア提供会社１から発行されるライセンスキー８は、クライアント２を示すクライアントＩＤコード及び当該クライアントＩＤコードに組み合わされた、クライアント内の部署を示す部署コードからなるクライアントコード情報、及び割符設定環境を表す割符設定環境コード情報を含んで構成され、一定手続の下、その存在がクライアント端末群４のいずれかに確認されると、当該確認されたクライアント端末に電子割符ソフトウエアのダウンロードを許可することになる。会社コードにクライアントコードが追加される場合がある。会社コードとクライアントコードが同一の場合もあり、会社コードあるいはクライアントコードで説明される。  
クライアント２は、複数の顧客である会社、その他の組織からなり、それぞれクライアントＩＤが設定、付与される。
クライアント端末群４は、クライアントＩＤコードが設定されたクライアント端末４Ａと、部署コードが設定され、クライアント端末にクライアントＩＤコードで連携される連携クライアント端末４Ｂとからなる。クライアント端末４Ａと連携クライアント端末４ＢとはクライアントＩＤコードで連携されれば十分で、監視・被監視の状態にあることが必要とされない。クライアント端末群４は、組織の中で、クライアントＩＤコードでクライアント内の部署を示す部署コードに関連しての利用された電子割符ソフトウエアの使用対価について一括経理処理される関係にある。
図１では、クライアント端末群４がクライアント端末（１）、クライアント端末（２）、クライアント端末（３）及びクライアント端末（４）他から構成されることを示し、クライアント端末（１）が、クライアントＩＤが設定されたクライアント端末４Ａとなり、クライアント端末（２）、クライアント端末（３）及びクライアント端末（４）他が、クライアント端末４ＡにクライアントＩＤコードで連携される連携クライアント端末４Ｂとなる。
連携は、このように一つの企業内の組織であって、電子割符ソフトウエアの使用対価について一括した一体的な経理的な処理がなされる端末間に形成される。  
【００１９】
電子割符ソフトウエアがアプリケーションの提供サービスとして、電子割符ソフトウエア提供会社１からクライアント２に提供され、期間を限定して使用許諾されるに際して、電子割符ソフトウエア提供会社１とクライアント２との間で契約１０が締結される。
【００２０】
契約には、
・ライセンスキーの構造、設定対象、通知方法
・電子割符ソフトウエアの使用許諾と割符設定内容の決定
・電子割符ソフトウエア提供の要求と提供・利用
・提供される電子割符ソフトウエアの製品サポート
・契約対価、契約期間
・通常の契約で規定されるその他の項(etc)
が規定される。
【００２１】
ライセンスキーは、シリアルナンバーや登録コードのようなものであり、電子割符ソフトウエアを利用する上で、正規に手続されたものであることを判断するパスワードとなる。
【００２２】
電子割符ソフトウエア提供会社１のセキュリテイ部門は、２４時間、提供される電子割符ソフトウエアの製品についてのサポートを行う。
【００２３】
図２は、ライセンスキーの構造形態を示す図である。
図２において、ライセンスキー８の一例が示される。
【００２４】
図２において、ライセンスキー８は、例えば会社コードあるいはクライアントコード、及び区分コードとして、会社コードあるいはクライアントコード内のコードとしての部署コード、及び種別コード、割符設定情報コード及びランダム数字から構成される。  会社自体がクライアントである場合、会社コードは、クライアント端末（１）であるクライアント端末４Ａのクライアントコードで示される。部署コードは、クライアント内の組織上の部署に設置され、クライアント端末にクライアントＩＤコードで連携される連携クライアント端末４Ｂについて設定された部署を示す。クライアントを示すクライアントＩＤコード及びクライアントの部署を示す部署コードからクライアントコード情報が生成される。種別コードは、予めライセンスキーに組み込む予約されたデータ領域が設定されたときに使用されるものであり、電子割符ソフトウエア提供会社１の便宜にために設定されるものであり、なくてもよい。
【００２５】
設定情報コードは、割符基本設定・割符対象設定についての割符の環境の設定要件を示す情報である。設定された設定情報コードの違いによって、電子情報を割符に分割し、保存し、そして保存し、分割した割符から元の電子情報に復元する使用が異なってくる。
ランダム数字は、ライセンスキーが漏洩しづらくなるようにするために任意に設定された数字であり、冗長コードを形成する。区分コードは、少なくとも部署コード及び設定情報コードを含む概念のコードである。
ライセンスキーの各コードは、適宜変更可能であり、変更される。
この例の場合、ライセンスキーは、４桁×４ブロックの文字列からなる。最初にランダム文字列が生成され、そのランダム文字列の中に、例えば会社コード、クライアントコード、部署コード、種別コード、設定情報コード、ランダム数字からなるコードを混合し、
更にライセンス列全体として処理する。例えば、会社コードについて、ＡＢＣ株式会社なら会社コード０００１、ＤＥＦ株式会社なら会社コード０００２に、他のコードが混合される。混合された情報が４桁×４ブロックの文字列とされ、４桁×４ブロックの文字列がライセンスキーとされ、ＡＢＣ株式会社あるいはＤＥＦ株式会社に許諾されるライセンスＮｏが取得される。
【００２６】
図３は、一つの会社、企業に、その組織内にある部門に割符設定される要件の例を示す図である。
【００２７】
例えば、Ａ社ＸＸ部門について割符基本設定・割符対象設定についての割符の環境の設定要件として、
・割符分割の方法として、
三分割でＮ−１での使用（後述）
【００２８】
・分割された割符の保存先として、
クライアント分割ファイルは、端末本体+社内サーバ+WebDav 
・割符対象としてクライアントが指定した任意のフォルダ及びそのサブフオルダのパスが用いられる。
【００２９】
・割符対象のファイルタイプとして、
ＸＸフォルダ及びサブフォルダ
MS Office ファイル（Word、Excel、Powerpoint）が設定された。
・拡張子オフイス関連が設定された。
【００３０】
Ｈ社ＸＸ部門について、同様にして
・割符分割の方法として、
三分割でＮ−１での使用（後述）
【００３１】
・分割された割符の保存先として、
クライアント分割ファイルは、端末本体+ＵＳＢ+ＦＴＰ 
【００３２】
・割符対象のファイルタイプとして、
ＡＡフォルダ
MS Office ファイル（Word、Excel、Powerpoint）
・拡張子オフイス関連として、
拡張子オフイス＋一太郎が設定された。
・バックアップとして、社内サーバが使用されることが設定された。
【００３３】
電子割符ソフトウエア提供会社の電子割符ソフトウエアを提供する端末の機能
・アップリケ―ションの環境設定
・割符データの保存場所として、ボリュームやフォルダ（サブフォルダを含む。）を設定
・分割数を設定。分割は１０個以内。典型的には、２から５まで。
・複合には、分割したすべての割符が必要な通常モード、割符データが１〜２つ欠けていても複合を容認するリカバリーモードを選定可能とする。
・データ均等割りの他に、一つの割符データに偏差を付け最少量にする最少ファイルモードを選択可能とする。
【００３４】
・分割された割符データにパスワードを設定可能
・保存場所は、ローカルハードデイスク、外部記憶装置、ネットワークドライブ、WebDAVを選択可能とさせる。
【００３５】
・割符条件設定として任意の割符作業フォルダと対象拡張子を指定可能とする。
【００３６】
・割符データの保存用USBを登録させることで媒体の個体トラックを可能とする。
【００３７】
クライアント側に負担を感じさせることなく、利用できる機能を与え、利便性が損なわれることなく社内セキュリテイポリシーの推進に貢献できる。
【００３８】
図４は、電子割符ソフトウエア提供会社１、クライアント２及びクライアント内の部署２Ａ間における電子割符提供・利用状況を示す図である。クライアント２の典型的な例が会社であり、クライアントコードの典型的な例が会社コードであり、クライアント内の部署２Ａを含むコードの典型的例が区分コードである。区分コードとは、クライアント内の部署のようにクライアントに連携され、あるいは経理上の処理において管理されるポジションにある部署に区分されるような場合において、当該部署に付与されるコードを含むコードであり、割符設定コードを含んで構成される。この場合に、部署は、通常の会社、組織における〇〇部よりは広義の意味で使用され、複数の部署からなる。クライアントには、会社以外にも事業部、工場、センター等の、連携され、あるいは経理上の処理において管理されるポジションにある部署を所轄する統括、管理する管理組織体が入り、クライアントコードが付与され得る。
上述したように、電子割符ソフトウエア提供会社１内にコンポネントとしての電子割符ソフトウエアを提供する端末３、クライアント２内にコンポネントとしての電子割符ソフトウエアの提供を受けるクライアント端末（管理端末）４Ａ，そしてクライアント内の部署２Ａ内にコンポネントとしての電子割符ソフトウエアの提供を受ける連携クライアント端末（被管理端末）４Ｂが所属する。クライアント端末（管理端末）４Ａと連携クライアント端末（被管理端末）４Ｂでクライアント端末群４が構成される。
電子割符ソフトウエア提供会社１の管理者とクライアント２の管理者間で、すなわち電子割符ソフトウエア提供会社１とクライアント２と間で、上述したように、クライアント内の部署２Ａ間を含めて、電子割符ソフトウエアの提供・利用についての契約が締結される。これに伴って、クライアント２の管理者から電子割符ソフトウエア提供会社１の管理者に、電子割符ソフトウエアの提供を受け、利用する部署の端末情報が通知（端末で通信）される。
電子割符ソフトウエア提供会社１において、電子割符ソフトウエアを提供する端末３で、乱数発生のＡＰＩ（アプリケーションプログラミングインターフェース）が用いられて、４桁×４ブロックの文字列が生成される。
会社コード及び区分コードがこの文字列に挿入され、混合される。この混合によってライセンスキーが生成される。ライセンスキーにライセンスＮｏが付与され、ライセンスＮｏをＤＢに登録する。この際に、上述したように、契約内容としての設定情報がＤＢに保存される。契約期間としての契約月数がＤＢに保存される。また、管理者が必要とするメモが任意にＤＢに保存される。会社コード及び区分コードは、上述したように、クライアントコード、クライアント内の部署コード及び割符設定コードと言い換えることができる。
生成されたライセンスキーがクライアント２に向けて、すなわちクライアント端末４Ａに向けて発行される。
クライアント２において、クライアント２の管理者はクライアント端末４Ａを介してクライアント内の部署コードの設定された連携クライアント端末４Ｂにライセンスキーを配布する。同時に電話番号が配布される。これによって、連携クライアント端末４Ｂは、ライセンスＮｏを取得し、クライアント端末４Ａを介することなく電子割符ソフトウエアの提供を受けることができるようになる。
クライアント内の連携クライアント端末４Ｂにおいて、業務担当は、ライセンスキーで被管理端末である連携クライアント端末４Ｂ上で、ライセンスＮｏと電話番号を入力し、電子割符ソフトウエアをインストールするアクテイベーション処理を行う。アクテイベーション処理されたことが電子割符ソフトウエアを提供する端末３に通知される。
電子割符ソフトウエアを提供する端末３において、上述のアクテイベーション処理に基づいて、アクテイベーション日（ライセンス開始日）とアクテイベーションコードが生成され、記憶手段であるＤＢ（データベース）に登録される。これに伴って、電子割符ソフトウエア提供会社１の電子割符を提供する端末３から目的の電子割符ソフトウエアが連携クライアント端末４Ｂに直接ダウンロードされる。
連携クライアント端末４Ｂにおいて、業務担当は、設定ファイルを自己の連携クライアント端末４Ｂに自己適用して、自身の環境設定を変更する。そして、アクテイベーションコードを適用する。
このような処理をもって、アクテイベーションが完了し、目的の電子割符ソフトウエアのインストールが完了する。
上述のインストールが完了することに伴い、連携クライアント端末４Ｂ内に、電子情報漏洩対策装置６が形成される。クライアント端末４Ａにも同様にして、電子情報漏洩対策装置６が形成される。このようにして、クライアント端末群４のいずれの端末にも電子情報漏洩対策装置６が形成される。よって、電子割符ソフトウエア提供会社１の電子割符ソフトウエアを提供する端末が備える電子情報漏洩対策支援装置５とクライアント端末群４のいずれの端末にも形成される電子情報漏洩対策装置６とによって、電子割符対策システム１００が構成される。
クライアント端末群４のいずれの端末も、特に連携クライアント端末４Ｂが、割符設定環境コード情報に関連付けられ、前記クライアント端末を介することなくインストールした電子割符ソフトウエアでもって、電子情報を割符に分割し、保存し、そして保存し、分割した割符から元の電子情報に復元することを可能となる。
次いで、連携クライアント端末４Ｂが、電子割符ソフトウエアをインストールしたことをクライアント端末４Ａに送信する。
クライアント端末４Ａが、クライアント端末群４がインストールしたインストール受信回数及び自身のインストール受信回数をからなるインストール受信回数統計情報を統計する。
インストール受信回数統計情報を電子割符ソフトウエア提供会社１の電子割符ソフトウエアを提供する端末３に提供、取得させる。連携クライアント端末４Ｂからは電子割符ソフトウエア提供会社１の電子割符ソフトウエアを提供する端末にインストール受信回数情報は提供されない。提供されることがあっての経理処理上のデータにはならない。
電子割符ソフトウエアを提供する端末３が、取得、統計されたインストール受信回数統計情報に基づいて、所定の期間内における電子割符ソフトウエアの提供になる電子割符ソフトウエア使用に対する対価の計算処理を所定の計算式を用いることで行う。
電子割符ソフトウエアの提供を希望するクライアント端末群について、一つ一つ契約を締結してダウンロード、インストールしていく方法一つ一つ対価処理する方法による煩雑さを無くし、電子割符ソフトウエアが電子割符ソフトウエア提供会社端末から電子割符ソフトウエアの提供を希望するクライアント端末群のそれぞれに直接的に迅速に提供される。ここで、「直接的に迅速に提供」とは、上述のように電子割符ソフトウエアを、クライアント端末４Ａを介することなく連携クライアント端末４Ｂに直接提供するということである。
上述したように、電子情報漏洩対策支援装置５とクライアント端末群４のいずれの端末にも形成されたこれらの電子情報漏洩対策装置６とによって、電子割符対策システム１００が構成される。
【００３９】
図５は、電子情報漏洩対策システム１００、及びこのシステムを構成する電子情報漏洩対策支援装置５及び電子情報漏洩対策６の内容をブロックで示す図である。
【００４０】
図５において、電子情報漏洩対策システム１００は、電子割符ソフトウエア提供会社の端末３に設けられた電子情報漏洩対策支援装置５及びクライアント端末群４のクライアント端末４Ａ及び関連クライアント端末４Ｂのそれぞれに構成される電子情報漏洩対策装置６からなる。電子割符ソフトウエア提供会社の端末３とクライアント端末群４とはインターネットなどの通信手段で結ばれる。
【００４１】
電子割符ソフトウエア提供会社１の電子割符ソフトウエアを提供する端末３は、記憶手段１１、入力手段１２、演算処理手段１３、出力手段１４及び画面表示手段１５から形成される。画面表示手段１５は、画面１５Ａを備える。
【００４２】
記憶手段１１は、
・クライアントＩＤ及びクライアントＩＤに関係付けられた関連クライアントＩＤの設定されたクライアント端末群
・クライアントＩＤごとのライセンスキー
・ライセンスキーごとの電子割符ソフトウエア
を記憶する。設定情報としてＢＤには、登録される設定ファイルは、次に３つになる。    ・割符基本設定（割数、復元オプションのタイプ）
・保存先設定（保存先場所形式、保存先のパス、ログイン情報）
・割符対象設定（割符対象フォルダのパス、割符対象のファイルタイプ）
更に、ライセンスキーに付与されたライセンスＮｏに対応して
・契約対価、契約期間
・メモ（任意）
がＢＤに保存される。すなわち、
記憶手段１１に、電子割符ソフトウエア提供会社１から発行され、クライアント２を示すクライアントＩＤコード及び当該クライアントＩＤコードに組み合わされた、クライアント内の部署を示す部署コードからなるクライアントコード情報、及び割符設定環境を表す割符設定環境コード情報を含んで構成され、電子割符ソフトウエアのダウンロードを許可するライセンスキー情報、クライアントＩＤコードが設定されたクライアント端末４Ａと、部署コードが設定され、クライアント端末４ＡにクライアントＩＤコードで連携される連携クライアント端末４Ｂとからなるクライアント端末群４、割符設定環境コード情報に関連付けられた、電子情報を割符に分割させ、保存させ、そして保存され、分割された割符から元の電子情報に復元させる電子割符ソフトウエア（ライセンスＮｏごとの電子割符ソフトウエア）が登録される。
【００４３】
入力手段１２は、電子割符ソフトウエア提供要求を入力する。すなわち、
入出力手段１２が、クライアント端末群４を構成する連携クライアント端末４Ｂのいずれから、クライアントＩＤコード、部署コード及び割符設定環境コードを持つライセンスキーに基づいて電子割符ソフトウエアの提供要求を受ける。
【００４４】
演算処理手段１３は、
・ライセンスキーの確認（電子割符ソフトウエア提供会社１の電子割符ソフトウエアを提供する端末３に登録されたライセンスキーとクライアント端末群４提供されたライセンスキーの同一性の確認）とダウンロード許可確認情報の取得
・電子割符ソフトウエア提供要求のあったクライアント端末への電子割符ソフトウエアのダウンロード（アクテイベーションを含む）による提供処理
・統計されたインストール受信回数情報の一括した取得と対価請求処理
クライアント端末４Ａから提供された、統計されたインストール受信回数情報に基づいて対価請求処理がなされる。インストール受信回数情報が、クライアント端末４Ａで生成されるので、クライアント端末群４の個々の関連クライアント端末４Ｂについて対価請求処理をすることを要せず、効率的な処理となる。すなわち、
演算処理手段１３が、
クライアントＩＤコード、部署コード及び割符設定環境コードを持つライセンスキーに基づいた電子割符ソフトウエアの提供要求があったときに、当該ライセンスキーが電子割符ソフトウエア提供会社発行の、クライアントＩＤコード、部署コード及び割符設定環境コードを持つライセンスキーと同一であることを確認し、確認することで、当該連携クライアント端末が、ライセンスキーの割符設定環境コード情報に関連し、管理された電子割符ソフトウエアをインストール可能な連携クライアント端末であることを確認するダウンロード許可確認情報を取得する。
ダウンロード許可確認に基づいて、当該連携クライアント端末に、当該電子割符ソフトウエアをダウンロードして提供し、当該連携クライアント端末のインストール受信情報を当該クライアントＩＤコードの設定されたクライアント端末に発信させて、当該連携クライアント端末での割符形成復元させる処理を可能とさせ、当該クライアント端末が統計した、クライアント端末群がインストールしたインストール受信回数をからなるインストール受信回数統計情報を取得する。
【００４５】
出力手段１４は、電子割符ソフトウエアの送信処理を行う。
【００４６】
画面表示手段１５は、画面１５ＡＡに処理前処理後の種々の情報の表示を行う。
【００４７】
次に、クライアント端末群４について説明する。
上述したように、クライアント端末群４は、クライアント端末４Ａ及び関連クライアント端末４Ｂからなる。すなわち、クライアント端末群４は、クライアント端末４Ａのクライアント端末（１）、関連クライアント端末４Ｂのクライアント端末（２）〜クライアント端末（４）他からなる。
クライアント端末４Ａは、記憶手段２１Ａ、演算処理手段２３Ａ、入出力手段２４Ａ及び画面表示手段２５Ａから形成される。画面表示手段２５は、画面２５ＡＡを備える。
【００４８】
記憶手段２１Ａは、
・契約１０で特定されたライセンスキー
・関連クライアント端末４Ｂのクライアント端末（２）〜クライアント端末（４）他
を登録する。
【００４９】
演算処理手段２３Ａは、
・契約１０で特定されたライセンスキーの連携クライアント端末への配布
・契約１０で特定されたライセンスキーに基づく電子割符ソフトウエア提供要求処理
・電子割符ソフトウエアのインストールに基づく割符データの生成と復元化処理
・クライアント端末群がインストールしたインストール受信回数の統計処理と統計されたインストール受信回数の電子情報漏洩対策支援装置５への提供            
のための処理を行う。
【００５０】
入出力手段２４Ａは、電子割符ソフトウエアの入力処理を行い、クライアント端末群４がインストールしたインストール受信回数について統計処理を行う。
【００５１】
画面表示手段２５Ａは、画面２５ＡＡに処理前処理後の種々の情報の表示を行う。
【００５２】
クライアント端末群４Ｂは、端末ごとに記憶手段２１Ｂ、演算処理手段２３Ｂ、入出力手段２４Ｂ及び画面表示手段２５Ｂから形成される。画面表示手段２５Ｂは、画面２５ＢＢを備える。
【００５３】
記憶手段２１Ｂは、
・契約で特定されたライセンスキー
・クライアント端末４Ａ（クライアント端末４（１））
を登録する。
【００５４】
演算処理手段２３Ｂは、
・電子割符ソフトウエア提供要求処理
アクテイベーション処理
アクテイベーションコードの要求
・割符データの生成と復元化
・インストールしたインストール受信回数情報提供
の処理を行う。
【００５５】
入出力手段２４Ｂは、特定され関連された電子割符ソフトウエアの入出力処理を行う。
【００５６】
画面表示手段２５Ｂは、画面２５ＢＢに処理前処理後の種々の情報の表示を行う。
このように、
電子割符ソフトウエア提供会社の電子割符ソフトウエアを提供する端末が、ダウンロード許可確認に基づいて、当該連携クライアント端末に、当該電子割符ソフトウエアを直接にダウンロードして提供し、当該連携クライアント端末のインストール受信情報を当該クライアントＩＤコードの設定されたクライアント端末から送信させる。当該連携クライアント端末での割符形成復元させる直接処理を可能とさせ、当該クライアント端末が統計した、クライアント端末群がインストールしたインストール受信回数をからなるインストール受信回数統計情報を間接取得する。
連携クライアント端末が、クライアント端末を介することなくアクテイベーション処理
することが可能とされ、割符設定環境コード情報に関連付けられ、直接入手したインストールした電子割符ソフトウエアでもって、電子情報を割符に分割し、保存し、そして保存し、分割した割符から元の電子情報に復元することを可能とする。また、インストール受信は、クライアント端末に対して行う。
クライアント端末が、クライアント端末群がインストールしたインストール受信回数をからなるインストール受信回数統計情報を統計し、インストール受信回数統計情報を電子割符ソフトウエア提供会社の端末に提供し、取得させる。クライアント端末自身もアクテイベーション処理することが可能とされる。
【００５７】
図６は、電子割符ソフトウエア提供要求処理及び電子割符ソフトウエア提供要求のあったクライアント端末への電子割符ソフトウエアの提供処理の状況を示す図である。
【００５８】
インストールプログラムである電子割符ソフトウエアが確認される。また、アクテイベーションを行うためのライセンスキーの確認がなされる。インストールプログラム及びライセンスキーの自動インストールがクライアント端末４（クライアント端末（１））あるいは連携クライアント端末４Ａ（クライアント端末群クライアント端末（２）〜（４）になされる。
【００５９】
クライアント端末群４のいずれかの端末から電子割符ソフトウエア提供会社の端末３に向けて、個別に電子割符ソフトウエア提供要求処理３１がなされる。電子割符ソフトウエア提供会社の電子割符ソフトウエアを提供する端末が、ダウンロード許可確認に基づいて、当該連携クライアント端末に、当該電子割符ソフトウエアをダウンロードする処理３２がなされ、電子割符ソフトウエア提供要求のあった端末（クライアント端末（１）〜クライアント端末（４）他のいずれか。）に提供される。電子情報漏洩対策装置６が形成される。電子割符ソフトウエアの提供になるインストール受信回数処理がなされ、処理データが、クライアント端末４（クライアント端末（１））で集計され統計されることでなされる。統計された電子割符ソフトウエアのインストール受信回数に基づいて、電子割符ソフトウエア利用に対する対価請求がなされる。
次に示される電子割符ソフトウエア提供・利用システムによる電子割符ソフトウエアの提供・利用方法が構成される。
前記電子割符ソフトウエア提供会社の電子割符ソフトウエアを提供する端末が、ダウンロード許可確認に基づいて、当該連携クライアント端末に、当該電子割符ソフトウエアを直接ダウンロードして提供し、当該連携クライアント端末のインストール受信情報を当該クライアントＩＤコードの設定されたクライアント端末に発信させて、当該連携クライアント端末での割符形成復元させる処理を可能とさせ、当該クライアント端末が統計した、クライアント端末群がインストールしたインストール受信回数をからなるインストール受信回数統計情報を取得する。連携クライアント端末がインストールしたインストール受信回数を、クライアント端末を介して間接的に取得する。
前記連携クライアント端末が、クライアント端末を介することなく直接アクテイベーション処理することが可能とされ、可能割符設定環境コード情報に関連付けられ、インストールした電子割符ソフトウエアでもって、電子情報を割符に分割し、保存し、そして保存し、分割した割符から元の電子情報に復元することを可能とし、インストール回数を前記クライアント端末に送信する。
前記クライアント端末が、クライアント端末群がインストールしたインストール受信回数をからなるインストール受信回数統計情報を統計し、インストール受信回数統計情報を電子割符ソフトウエア提供会社の電子割符ソフトウエアを提供する端末に取得させる電子割符ソフトウエアの提供・利用システムによる電子割符ソフトウエアの提供・利用方法が構成される。
【００６０】
連携クライアント端末が、ライセンスキーの割符設定環境コード情報に関連し、管理された電子割符ソフトウエアをインストール可能な連携クライアント端末であることを確認するダウンロード許可確認情報を取得することについて説明する。
図７は、割符情報と復元化のための情報の組み合わせの例を示す図である。
【００６１】
割符情報には、Ｎ数に分割された割符が該当する。復元化のための情報には、Ｎ，Ｎ−１，Ｎ−２の割符が該当する。
【００６２】
割符情報Ｎ＝２、３、４、５の場合、復元化のための割符はＮとなり、Ｎ＝２、３、４、５となる。
【００６３】
割符情報Ｎ＝３、４の場合、復元化のための割符はＮ−１も選択でき、Ｎ−１＝２、３、となる
割符情報Ｎ＝５の場合、復元化のための割符はＮ−２も選択でき、Ｎ−２＝３となる。
【００６４】
復元に必要な割数Ｎは全数を必要とする設定の他、Ｎ＞３の場合、Ｎ−１が加わり、さらにＮ＞５の場合、Ｎ−２が選択オプションに加わる。例えば、Ｎ＝３の場合、復元に必要な割数は、全数、つまり２個とも揃っている必要があるが、Ｎが４の時は、全数以外に４−１＝３個を使用して復元することをオプションとして選択することができる。すなわちリカバリー様式が採用される。
【００６５】
割符情報Ｎは、５以内に限定されず、１０以内であってもよい。１１以上になると煩雑になるので避けるのがよい。また、Ｎ、Ｎ−１，Ｎ−２に設定することで煩雑になることを避ける。電子割符データが、電子割符ソフトウエアによって、電子情報ファイルをＮ数に分割させた割符情報及びＮ又はＮよりも少ない個数で２よりも大の割符数で元の電子情報ファイルに復元させる復元化のための情報の組み合わせから作成される。
どのようなリカバリー様式を採用するかは、クライアント２によって決定され、その決定は、クライアント端末（１）によって統括される全てのクライン端末に適用される。クライアント端末の適用が、ライセンスキーの種別によって決められる。
【００６６】
端末で実行させるためのコンピュータプログラムを記録したコンピュータ読み取り可能な電子割符ソフトウエアが電子割符ソフトウエア提供会社の端末からクライアント端末に提供され、
端末で実行させるためのコンピュータプログラムを記録したコンピュータ読み取り可能な電子割符ソフトウエアが電子割符ソフトウエア提供会社端末からクライアント端末に提供され、
電子情報ファイルを、複数の電子割符データに分割させ、分割された電子割符データを、分割された電子割符データごとに割符保存場所に保存させ、分割され保存された電子割符データから元の電子情報ファイルに復元させる電子割符ソフトウエアを、クライアント端末に提供する、電子割符ソフトウエア提供会社の端末による電子割符ソフトウエア提供会社側電子情報漏洩対策方法が、
電子割符データが、電子割符ソフトウエアによって、電子情報ファイルをＮ数（Ｎ＝２、３、４、５）に分割させた割符情報及びＮ（Ｎ＝２、３、４、５）又はＮ−１（Ｎ＝３、４）又はＮ−２（Ｎ＝５）割符数で元の電子情報ファイルに復元させる復元化のための情報の組み合わせから作成され、
記憶手段に、クライアントＩＤ、クライアントＩＤごとに設定された電子割符ソフトウエア提供会社発行のライセンスキーが登録され、当該ライセンスキーに特定された関連にある電子割符ソフトウエアが登録され、
当該クライアント端末からライセンスキーを指定して電子割符ソフトウエア提供要求があった時に、当該クライアント端末に特定された関連にある電子割符ソフトウエア提供会社発行のライセンスキーが確認され、当該ライセンスキーによって特定された関連にある電子割符ソフトウエアを当該クライアント端末に提供することで構成される。
【００６７】
また、端末で実行させるためのコンピュータプログラムを記録したコンピュータ読み取り可能な電子割符ソフトウエアが電子割符ソフトウエア提供会社の端末からクライアント端末に提供され、
電子情報ファイルを、複数の電子割符データに分割させ、分割された電子割符データを、分割された電子割符データごとに割符保存場所に保存させ、分割され保存された電子割符データから元の電子情報ファイルに復元させる電子割符ソフトウエアが、電子割符ソフトウエア提供会社の端末から提供される、クライアント端末によるクライアント側電子情報漏洩対策方法が、
電子割符データが、電子割符ソフトウエアによって、電子情報ファイルをＮ数（Ｎ＝２、３、４、５）に分割させた割符情報及びＮ（Ｎ＝２、３、４、５）又はＮ−１（Ｎ＝３、４、５）又はＮ−２（Ｎ＝５）割符数で元の電子情報ファイルに復元させる復元化のための情報の組み合わせから作成され、
電子割符ソフトウエア提供会社の端末の記憶手段に、クライアントＩＤ、クライアントＩＤごとに設定された電子割符ソフトウエア提供会社発行のライセンスキーが登録され、当該ライセンスキーに特定された関連にある電子割符ソフトウエアが登録されている場合に、
当該電子割符ソフトウエア提供会社の端末にライセンスキーを指定して電子割符ソフトウエア提供要求を行い、当該ライセンスキーによって特定された関連にある電子割符ソフトウエアが提供され、電子割符ソフトウエアに特定された関連にある、電子情報ファイルをＮ数（Ｎ＝２、３、４、５）に分割させた割符情報及びＮ（Ｎ＝２、３、４、５）又はＮ−１（Ｎ＝３、４、５）又はＮ−２（Ｎ＝５）割符数で元の電子情報ファイルに復元させる復元化のための情報の組み合わせから作成される。
【００６８】
図８は、アクテイベーション処理を示す図であり、割符アクテイベーション（ライセンス認証に基づくダウンロードするための処理）するための画面である。画面の詳細については図８上に記載した。以下、同様である。
【００６９】
ライセンスキーを〔ライセンスＮｏ〕フイールドに入力する。また、電話番号を入力する。クライアントは、〔オンライン取得〕チェックボックスを有効にし、〔アクテイベーション〕ボタンをクリックすると、認証Ｎｏとアクテイベーションコードが生成・自動入力される。アクテイベーションコードには、ライセンスの終了日が格納されている。
【００７０】
図９〜図１３によって割符処理のための環境設定を行う。
【００７１】
割符の環境設定は、クライアント端末（１）を使用して、管理者によってなされる。管理者は、ログイン情報を使って、割符の設定画面にログインする。
【００７２】
図９は、割符基本設定を示す図であり、割符の基本設定を行う画面である。
【００７３】
〔環境設定〕をクリックする。
【００７４】
管理者が管理サーバを使用して、割数及び復元オプションを入力する時に使用される。
【００７５】
割符ファイル保存先が入力される。
【００７６】
インストール時に設定したユーザアカウントでログインする。
【００７７】
クライアントが設定できる項目にアクセスする。
【００７８】
以上のように割符対象を設定する。
【００７９】
図１０は、割符対象設定のための割符対象のファイルタイプ及び割符対象のフォルダパスを説明する図であり、割符のログイン情報や、割符時に設定するパスワードを登録するための画面である。
【００８０】
クライアントのログイン情報やログインタイムアウトが編集できる。これは、クライアントが、割符にログインしてから、無操作の状態が連続で何分経過したらタイムアウトさせるという機能である。編集後、〔設定保存〕ボタンをクリックして、設定内容を保存する。
図１１は、ユーザＩＤ，パスワードを設定する図である。
【００８１】
図１２は、ＵＳＢリスト登録を示す図であり、割符で使用できるＵＳＢを登録する画面である。
【００８２】
ＵＳＢ登録では、割符で利用するＵＳＢを登録する。
【００８３】
図１３は、管理サーバ設定を示す図であり、割符で管理サーバを使用するための画面である。
【００８４】
管理者が管理サーバ設定する時に使用する。
【００８５】
割符ファイル保存先が入力される。
以上の実施例によれば、クライアント端末群による電子情報漏洩対策方法において、
電子割符データが、電子情報をＮ数（Ｎ＝２、３、４、５）に分割させた分割数及びＮ（Ｎ＝２、３、４、５）又はＮ−１（Ｎ＝３、４）又はＮ−２（Ｎ＝５）割符数で元の電子情報ファイルに復元させる復元化のための割符情報の組み合わせから作成されること
を特徴とするクライアント端末群による電子情報漏洩対策方法が提供される。
また、この電子情報漏洩対策方法において、
電子割符データが、電子情報をＮ数（Ｎ＝２、３、４、５）に分割させた分割数及びＮ（Ｎ＝２、３、４、５）又はＮ−１（Ｎ＝３、４）又はＮ−２（Ｎ＝５）割符数で元の電子情報ファイルに復元させる復元化のための割符情報の組み合わせから作成されることを内容とした電子情報漏洩対策方法が提供される。
【符号の説明】
【００８６】
１…電子割符ソフトウエア提供会社（電子割符ソフトウエア提供者）、２…クライアント、３…電子割符ソフトウエア提供会社の電子割符ソフトウエアを提供する端末、４…クライアント端末群、４Ａ…クライアント端末(クライアント端末（１)）、４Ｂ…連携クライアント端末(クライアント端末（２)〜（４）他、５…電子割符ソフトウエア提供会社の電子情報漏洩対策支援（サポート）装置、６…クライアント端末群４に構成される電子情報漏洩対策装置、８…ライセンスキー、１０…電子割符ソフトウエア提供会社１とクライアント２との間で締結される契約、１１…記憶手段、１２…入力手段、１３…演算処理手段、１４…出力手段、１５…画面表示手段、２１Ａ，２１Ｂ…記憶手段、２３Ａ、２３Ｂ…演算処理手段、２４Ａ、２４Ｂ…入出力手段、２５Ａ、２５Ｂ…画面表示手段、１００…電子情報漏洩対策システム。
【図１】
2019021301.tif 000003
【図２】
2019021301.tif 000004
【図３】
2019021301.tif 000005
【図４】
2019021301.tif 000006
【図５】
2019021301.tif 000007
【図６】
2019021301.tif 000008
【図７】
2019021301.tif 000009
【図８】
2019021301.tif 000010
【図９】
2019021301.tif 000011
【図１０】
2019021301.tif 000012
【図１１】
2019021301.tif 000013
【図１２】
2019021301.tif 000014
【図１３】
2019021301.tif 000015
【手続補正書】
【提出日】平成30年7月26日(2018.7.26)
【手続補正１】
【補正対象書類名】特許請求の範囲
【補正対象項目名】全文
【補正方法】変更
【補正の内容】
【特許請求の範囲】
【請求項１】
端末で実行させるためのコンピュータプログラムを記録したコンピュータ読み取り可能な電子割符ソフトウエアを提供する電子割符ソフトウエア提供会社の端末であって、
記憶手段、演算処理手段及び入出力手段を備え、クライアントごとにクライアント端末及び当該クライアント端末によって管理され、連携される連携クライアント端末から構成されるクライアント端末群にそれぞれ接続可能とされ、
記憶手段に、電子割符ソフトウエア提供会社から発行された情報であって、クライアントを示すクライアントＩＤコード及び当該クライアントＩＤコードに組み合わされた、クライアント内の部署を示す部署コードからなるクライアントコード情報と、割符設定環境を表す割符設定環境コード情報を含んで構成され、電子割符ソフトウエア提供会社とクライアントとの間で締結された契約で定められた電子割符ソフトウエアのダウンロードを許可するに際して用いられるライセンスキー情報クライアントＩＤコードが設定されたクライアント端末と、部署コードが設定され、クライアント端末にクライアントＩＤコードで連携される連携クライアント端末とからなるクライアント端末群、及び割符設定環境コード情報に関連付けられた、電子情報を割符に分割させ、保存させ、そして保存され、分割された割符から元の電子情報に復元させる当該電子割符ソフトウエアが登録され、
入出力手段が、前記クライアント端末群を構成する連携クライアント端末のいずれから、クライアントＩＤコード、部署コード及び割符設定環境コードを持つライセンスキー情報に基づいて、クライアント端末を介することなく電子割符ソフトウエアの提供要求を受け、
演算処理手段が、
クライアントＩＤコード、部署コード及び割符設定環境コードを持つライセンスキー情報に基づいた電子割符ソフトウエアの提供要求があったときに、当該ライセンスキー情報が電子割符ソフトウエア提供会社発行の、クライアントＩＤコード、部署コードからなるクライアントコード情報と、割符設定環境コードと、を持つライセンスキー情報と同一であることを確認し、当該連携クライアント端末が、当該ライセンスキー情報に関連された電子割符ソフトウエアをインストール受信可能な連携クライアント端末であることを示す情報であるダウンロード許可確認情報を取得し、
当該ダウンロード許可確認情報に基づいて、当該連携クライアント端末に、クライアント端末を介することなく当該電子割符ソフトウエアをダウンロードして提供して、当該連携クライアント端末に分割した割符から元の電子情報に復元させる処理を可能とさせ、当該連携クライアント端末が電子割符ソフトウエアをインストール受信したことのインストール受信情報に基づいて当該クライアント端末が統計した、クライアント端末群がインストール受信したインストール受信回数からなるインストール受信回数統計情報を取得すること
を特徴とする電子割符ソフトウエアを提供する電子割符ソフトウエア提供会社の端末。
【請求項２】
端末で実行させるためのコンピュータプログラムを記録したコンピュータ読み取り可能な電子割符ソフトウエアを提供する電子割符ソフトウエア提供会社の端末であって、当該端末から当該端末に接続されたクライアント端末群に、クライアント端末群の端末で実行させるためのコンピュータプログラムを記録したコンピュータ読み取り可能な電子割符ソフトウエアを提供し利用させる電子割符ソフトウエア提供・利用システムであって、
端末で実行させるためのコンピュータプログラムを記録したコンピュータ読み取り可能な電子割符ソフトウエアを提供する電子割符ソフトウエア提供会社の電子割符ソフトウエアを提供する端末であって、
記憶手段、演算処理手段及び入出力手段を備え、クライアントごとにクライアント端末及び当該クライアント端末に連携される連携クライアント端末から構成されるクライアント端末群にそれぞれ接続可能とされ、
記憶手段に、電子割符ソフトウエア提供会社から発行された情報であって、クライアントを示すクライアントＩＤコード及び当該クライアントＩＤコードに組み合わされた、クライアント内の部署を示す部署コードからなるクライアントコード情報と、割符設定環境を表す割符設定環境コード情報と、を含んで構成され、電子割符ソフトウエア提供会社とクライアントとの間で締結された契約で定められた電子割符ソフトウエアのダウンロードを許可するに際して用いられるライセンスキー情報、クライアントＩＤコードが設定されたクライアント端末と、部署コードが設定され、クライアント端末にクライアントＩＤコードで連携される連携クライアント端末とからなるクライアント端末群、及び割符設定環境コード情報に関連付けられた、電子情報を割符に分割させ、保存させ、そして保存され、分割された割符から元の電子情報に復元させる当該電子割符ソフトウエアが登録され、
入出力手段が、前記クライアント端末群を構成する連携クライアント端末のいずれから、クライアントＩＤコード、部署コード及び割符設定環境コードを持つライセンスキー情報に基づいて、クライアント端末を介することなく電子割符ソフトウエアの提供要求を受け、
演算処理手段が、
クライアントＩＤコード、部署コード及び割符設定環境コードを持つライセンスキー情報に基づいた電子割符ソフトウエアの提供要求があったときに、当該ライセンスキー情報が電子割符ソフトウエア提供会社発行の、クライアントＩＤコード、部署コードからなるクライアントコード情報と、割符設定環境コードと、を持つライセンスキー情報と同一であることを確認し、確認することでダウンロード許可確認情報を取得し、当該連携クライアント端末が、ライセンスキー情報によって管理された電子割符ソフトウエアをインストール受信可能な連携クライアント端末であることを当該ダウンロード許可確認情報が確認する電子割符ソフトウエア提供会社の電子割符ソフトウエアを提供する端末と、
クライアントＩＤコードが設定されたクライアント端末及び部署コードが設定され、当該クライアント端末にクライアントＩＤコードで連携される連携クライアント端末からなるクライアント端末群と、からなり、
前記電子割符ソフトウエア提供会社の端末が、当該ダウンロード許可確認情報に基づいて、当該連携クライアント端末に、クライアント端末を介することなく当該電子割符ソフトウエアをダウンロードして提供して、当該連携クライアント端末に分割した割符から元の電子情報に復元させる処理を可能とさせ、当該連携クライアント端末が電子割符ソフトウエアをインストール受信したことのインストール受信情報に基づいて当該クライアント端末が統計した、クライアント端末群がインストール受信したインストール受信回数からなるインストール受信回数統計情報を取得し、
前記連携クライアント端末が、割符設定環境コード情報に関連付けられ、前記クライアント端末を介することなくインストール受信した電子割符ソフトウエアでもって、電子情報を割符に分割し、保存し、そして保存し、分割した割符から元の電子情報に復元することを可能とし、電子割符ソフトウエアをインストール受信したことを前記クライアント端末に通信し、
前記クライアント端末が、クライアント端末群がインストール受信したインストール受信回数からなるインストール受信回数統計情報を統計し、インストール受信回数統計情報を電子割符ソフトウエア提供会社の端末に取得させること
を特徴とする電子割符ソフトウエアを提供し利用させる電子割符ソフトウエア提供・利用システム。
【請求項３】
端末で実行させるためのコンピュータプログラムを記録したコンピュータ読み取り可能な電子割符ソフトウエアを提供する電子割符ソフトウエア提供会社の端末であって、
記憶手段、演算処理手段及び入出力手段を備え、クライアントごとにクライアント端末及び当該クライアント端末に連携される連携クライアント端末から構成されるクライアント端末群にそれぞれ接続可能とされる電子割符ソフトウエアを提供する電子割符ソフトウエア提供会社の端末による電子割符ソフトウエアの提供方法において、
記憶手段に、電子割符ソフトウエア提供会社から発行された情報であって、クライアントを示すクライアントＩＤコード及び当該クライアントＩＤコードに組み合わされた、クライアント内の部署を示す部署コードからなるクライアントコード情報と、割符設定環境を表す割符設定環境コード情報と、を含んで構成され、電子割符ソフトウエア提供会社とクライアントとの間で締結された契約で定められた電子割符ソフトウエアのダウンロードを許可するに際して用いられるライセンスキー情報、クライアントＩＤコードが設定されたクライアント端末と、部署コードが設定され、クライアント端末にクライアントＩＤコードで連携される連携クライアント端末とからなるクライアント端末群、及び割符設定環境コード情報に関連付けられた、電子情報を割符に分割させ、保存させ、そして保存され、分割された割符から元の電子情報に復元させる当該電子割符ソフトウエアが登録され、
入出力手段が、前記クライアント端末群を構成する連携クライアント端末のいずれから、クライアントＩＤコード、部署コード及び割符設定環境コードを持つライセンスキー情報に基づいて、クライアント端末を介することなく電子割符ソフトウエアの提供要求を受け、
演算処理手段が、
クライアントＩＤコード、部署コード及び割符設定環境コードを持つライセンスキー情報に基づいた電子割符ソフトウエアの提供要求があったときに、当該ライセンスキー情報が電子割符ソフトウエア提供会社発行の、クライアントＩＤコード、部署コードからなるクライアントコード情報と、割符設定環境コードと、を持つライセンスキー情報と同一であることを確認し、確認することでダウンロード許可確認情報を取得し、当該連携クライアント端末が、ライセンスキー情報によって管理された電子割符ソフトウエアをインストール受信可能な連携クライアント端末であることを当該ダウンロード許可確認情報が確認し、
当該ダウンロード許可確認情報に基づいて、当該連携クライアント端末に、クライアント端末を介することなく当該電子割符ソフトウエアをダウンロードして提供して、当該連携クライアント端末に分割した割符から元の電子情報に復元させる処理を可能とさせ、当該連携クライアント端末が電子割符ソフトウエアをインストール受信したことのインストール受信情報に基づいて当該クライアント端末が統計した、クライアント端末群がインストール受信したインストール受信回数からなるインストール受信回数統計情報を取得すること
を特徴とする電子割符ソフトウエアを提供する電子割符ソフトウエア提供会社の端末による電子割符ソフトウエアの提供方法。
【請求項４】
端末で実行させるためのコンピュータプログラムを記録したコンピュータ読み取り可能な電子割符ソフトウエアを提供する電子割符ソフトウエア提供会社の端末であって、当該端末から当該端末に接続されたクライアント端末群に、クライアント端末群の端末で実行させるためのコンピュータプログラムを記録したコンピュータ読み取り可能な電子割符ソフトウエアを提供し利用させる電子割符ソフトウエア提供・利用システムであって、
クライアント端末群の端末で実行させるためのコンピュータプログラムを記録したコンピュータ読み取り可能な電子割符ソフトウエアを提供する電子割符ソフトウエア提供会社の端末が、記憶手段、演算処理手段及び入出力手段を備え、クライアントごとにクライアント端末及び当該クライアント端末に連携される連携クライアント端末から構成されるクライアント端末群にそれぞれ接続可能とされ、
記憶手段に、電子割符ソフトウエア提供会社から発行された情報であって、クライアントを示すクライアントＩＤコード及び当該クライアントＩＤコードに組み合わされた、クライアント内の部署を示す部署コードからなるクライアントコード情報と、割符設定環境を表す割符設定環境コード情報を含んで構成され、電子割符ソフトウエア提供会社とクライアントとの間で締結された契約で定められた電子割符ソフトウエアのダウンロードを許可するに際して用いられるライセンスキー情報と、からなる情報、クライアントＩＤコードが設定されたクライアント端末と、部署コードが設定され、クライアント端末にクライアントＩＤコードで連携される連携クライアント端末とからなるクライアント端末群、及び割符設定環境コード情報に関連付けられた、電子情報を割符に分割させ、保存させ、そして保存され、分割された割符から元の電子情報に復元させる当該電子割符ソフトウエアが登録され、
入出力手段が、前記クライアント端末群を構成する連携クライアント端末のいずれから、クライアントＩＤコード、部署コード及び割符設定環境コードを持つライセンスキー情報に基づいて、クライアント端末を介することなく電子割符ソフトウエアの提供要求を受け、
演算処理手段が、
クライアントＩＤコード、部署コード及び割符設定環境コードを持つライセンスキーに基づいた電子割符ソフトウエアの提供要求があったときに、当該ライセンスキーが電子割符ソフトウエア提供会社発行の、クライアントＩＤコード、部署コードからなるクライアントコード情報と、割符設定環境コードと、を持つライセンスキー情報と同一であることを確認し、確認することでダウンロード許可確認情報を取得し、当該連携クライアント端末が、ライセンスキー情報に関連された電子割符ソフトウエアをインストール可能な連携クライアント端末であることを当該ダウンロード許可確認情報が確認する電子割符ソフトウエア提供会社の端末と、
クライアントＩＤコードが設定されたクライアント端末及び部署コードが設定され、当該クライアント端末にクライアントＩＤコードで連携される連携クライアント端末からなるクライアント端末群と、からなる電子割符ソフトウエア提供・利用システムによる電子割符ソフトウエアの提供・利用方法において、
前記電子割符ソフトウエアを提供する電子割符ソフトウエア提供会社の端末が、当該ダウンロード許可確認情報に基づいて、当該連携クライアント端末に、クライアント端末を介することなく当該電子割符ソフトウエアをダウンロードして提供して、当該連携クライアント端末に分割した割符から元の電子情報に復元させる処理を可能とさせ、当該連携クライアント端末が電子割符ソフトウエアをインストール受信したことのインストール受信情報に基づいて当該クライアント端末が統計した、クライアント端末群がインストール受信したインストール受信回数からなるインストール受信回数統計情報を取得し、
前記連携クライアント端末が、割符設定環境コード情報に関連付けられ、前記クライアント端末を介することなくインストール受信した電子割符ソフトウエアでもって、電子情報を割符に分割し、保存し、そして保存し、分割した割符から元の電子情報に復元することを可能とし、電子割符ソフトウエアをインストール受信したことを前記クライアント端末に通信し、
前記クライアント端末が、クライアント端末群がインストール受信したインストール受信回数をからなるインストール受信回数統計情報を統計し、インストール受信回数統計情報を電子割符ソフトウエア提供会社の端末に取得させること
を特徴とする電子割符ソフトウエアを提供し利用させる電子割符ソフトウエア提供・利用システムによる電子割符ソフトウエアの提供・利用方法。
【手続補正書】
【提出日】平成30年10月11日(2018.10.11)
【手続補正１】
【補正対象書類名】特許請求の範囲
【補正対象項目名】全文
【補正方法】変更
【補正の内容】
【特許請求の範囲】
【請求項１】
端末で実行させるためのコンピュータプログラムを記録したコンピュータ読み取り可能な電子割符ソフトウエアを提供する電子割符ソフトウエア提供会社の端末であって、
記憶手段、演算処理手段及び入出力手段を備え、クライアントごとにクライアント端末及び当該クライアント端末によって管理され、連携される連携クライアント端末から構成されるクライアント端末群にそれぞれ接続可能とされ、
記憶手段に、電子割符ソフトウエア提供会社から発行された情報であって、クライアントを示すクライアントＩＤコード及び当該クライアントＩＤコードに組み合わされた、クライアント内の部署を示す部署コードからなるクライアントコード情報と、割符設定環境を表す割符設定環境コード情報を含んで構成され、電子割符ソフトウエア提供会社とクライアントとの間で締結された契約で定められた電子割符ソフトウエアのダウンロードを許可するに際して用いられるライセンスキー情報、クライアントＩＤコードが設定されたクライアント端末と、部署コードが設定され、クライアント端末にクライアントＩＤコードで連携される連携クライアント端末とからなるクライアント端末群、及び割符設定環境コード情報に関連付けられた、電子情報を割符に分割させ、保存させ、そして保存され、分割された割符から元の電子情報に復元させる当該電子割符ソフトウエアが登録され、
入出力手段が、前記クライアント端末群を構成する連携クライアント端末のいずれから、クライアントＩＤコード、部署コード及び割符設定環境コードを持つライセンスキー情報に基づいて、クライアント端末を介することなく電子割符ソフトウエアの提供要求を受け、
演算処理手段が、
クライアントＩＤコード、部署コード及び割符設定環境コードを持つライセンスキー情報に基づいた電子割符ソフトウエアの提供要求があったときに、当該ライセンスキー情報が電子割符ソフトウエア提供会社発行の、クライアントＩＤコード、部署コードからなるクライアントコード情報と、割符設定環境コードと、を持つライセンスキー情報と同一であることを確認し、当該連携クライアント端末が、当該ライセンスキー情報に関連された電子割符ソフトウエアをインストール受信可能な連携クライアント端末であることを示す情報であるダウンロード許可確認情報を取得し、
当該ダウンロード許可確認情報に基づいて、当該連携クライアント端末に、クライアント端末を介することなく当該電子割符ソフトウエアをダウンロードして提供して、当該連携クライアント端末に分割した割符から元の電子情報に復元させる処理を可能とさせ、当該連携クライアント端末が電子割符ソフトウエアをインストール受信したことを示すインストール受信情報に基づいて当該クライアント端末が統計した、クライアント端末群がインストール受信したインストール受信回数からなるインストール受信回数統計情報を取得すること
を特徴とする電子割符ソフトウエアを提供する電子割符ソフトウエア提供会社の端末。
【請求項２】
端末で実行させるためのコンピュータプログラムを記録したコンピュータ読み取り可能な電子割符ソフトウエアを提供する電子割符ソフトウエア提供会社の端末であって、当該端末から当該端末に接続されたクライアント端末群に、クライアント端末群の端末で実行させるためのコンピュータプログラムを記録したコンピュータ読み取り可能な電子割符ソフトウエアを提供し利用させる電子割符ソフトウエア提供・利用システムであって、
端末で実行させるためのコンピュータプログラムを記録したコンピュータ読み取り可能な電子割符ソフトウエアを提供する電子割符ソフトウエア提供会社の電子割符ソフトウエアを提供する端末であって、
記憶手段、演算処理手段及び入出力手段を備え、クライアントごとにクライアント端末及び当該クライアント端末に連携される連携クライアント端末から構成されるクライアント端末群にそれぞれ接続可能とされ、
記憶手段に、電子割符ソフトウエア提供会社から発行された情報であって、クライアントを示すクライアントＩＤコード及び当該クライアントＩＤコードに組み合わされた、クライアント内の部署を示す部署コードからなるクライアントコード情報と、割符設定環境を表す割符設定環境コード情報と、を含んで構成され、電子割符ソフトウエア提供会社とクライアントとの間で締結された契約で定められた電子割符ソフトウエアのダウンロードを許可するに際して用いられるライセンスキー情報、クライアントＩＤコードが設定されたクライアント端末と、部署コードが設定され、クライアント端末にクライアントＩＤコードで連携される連携クライアント端末とからなるクライアント端末群、及び割符設定環境コード情報に関連付けられた、電子情報を割符に分割させ、保存させ、そして保存され、分割された割符から元の電子情報に復元させる当該電子割符ソフトウエアが登録され、
入出力手段が、前記クライアント端末群を構成する連携クライアント端末のいずれから、クライアントＩＤコード、部署コード及び割符設定環境コードを持つライセンスキー情報に基づいて、クライアント端末を介することなく電子割符ソフトウエアの提供要求を受け、
演算処理手段が、
クライアントＩＤコード、部署コード及び割符設定環境コードを持つライセンスキー情報に基づいた電子割符ソフトウエアの提供要求があったときに、当該ライセンスキー情報が電子割符ソフトウエア提供会社発行の、クライアントＩＤコード、部署コードからなるクライアントコード情報と、割符設定環境コードと、を持つライセンスキー情報と同一であることを確認し、確認することでダウンロード許可確認情報を取得し、当該連携クライアント端末が、ライセンスキー情報によって管理された電子割符ソフトウエアをインストール受信可能な連携クライアント端末であることを当該ダウンロード許可確認情報が確認する電子割符ソフトウエア提供会社の電子割符ソフトウエアを提供する端末と、
クライアントＩＤコードが設定されたクライアント端末及び部署コードが設定され、当該クライアント端末にクライアントＩＤコードで連携される連携クライアント端末からなるクライアント端末群と、からなり、
前記電子割符ソフトウエア提供会社の端末が、当該ダウンロード許可確認情報に基づいて、当該連携クライアント端末に、クライアント端末を介することなく当該電子割符ソフトウエアをダウンロードして提供して、当該連携クライアント端末に分割した割符から元の電子情報に復元させる処理を可能とさせ、当該連携クライアント端末が電子割符ソフトウエアをインストール受信したことのインストール受信情報に基づいて当該クライアント端末が統計した、クライアント端末群がインストール受信したインストール受信回数からなるインストール受信回数統計情報を取得し、
前記連携クライアント端末が、割符設定環境コード情報に関連付けられ、前記クライアント端末を介することなくインストール受信した電子割符ソフトウエアでもって、電子情報を割符に分割し、保存し、そして保存し、分割した割符から元の電子情報に復元することを可能とし、電子割符ソフトウエアをインストール受信したことを前記クライアント端末に通信し、
前記クライアント端末が、クライアント端末群がインストール受信したインストール受信回数からなるインストール受信回数統計情報を統計し、インストール受信回数統計情報を電子割符ソフトウエア提供会社の端末に取得させること
を特徴とする電子割符ソフトウエアを提供し利用させる電子割符ソフトウエア提供・利用システム。
【請求項３】
端末で実行させるためのコンピュータプログラムを記録したコンピュータ読み取り可能な電子割符ソフトウエアを提供する電子割符ソフトウエア提供会社の端末であって、
記憶手段、演算処理手段及び入出力手段を備え、クライアントごとにクライアント端末及び当該クライアント端末に連携される連携クライアント端末から構成されるクライアント端末群にそれぞれ接続可能とされる電子割符ソフトウエアを提供する電子割符ソフトウエア提供会社の端末による電子割符ソフトウエアの提供方法において、
記憶手段に、電子割符ソフトウエア提供会社から発行された情報であって、クライアントを示すクライアントＩＤコード及び当該クライアントＩＤコードに組み合わされた、クライアント内の部署を示す部署コードからなるクライアントコード情報と、割符設定環境を表す割符設定環境コード情報と、を含んで構成され、電子割符ソフトウエア提供会社とクライアントとの間で締結された契約で定められた電子割符ソフトウエアのダウンロードを許可するに際して用いられるライセンスキー情報、クライアントＩＤコードが設定されたクライアント端末と、部署コードが設定され、クライアント端末にクライアントＩＤコードで連携される連携クライアント端末とからなるクライアント端末群、及び割符設定環境コード情報に関連付けられた、電子情報を割符に分割させ、保存させ、そして保存され、分割された割符から元の電子情報に復元させる当該電子割符ソフトウエアが登録され、
入出力手段が、前記クライアント端末群を構成する連携クライアント端末のいずれから、クライアントＩＤコード、部署コード及び割符設定環境コードを持つライセンスキー情報に基づいて、クライアント端末を介することなく電子割符ソフトウエアの提供要求を受け、
演算処理手段が、
クライアントＩＤコード、部署コード及び割符設定環境コードを持つライセンスキー情報に基づいた電子割符ソフトウエアの提供要求があったときに、当該ライセンスキー情報が電子割符ソフトウエア提供会社発行の、クライアントＩＤコード、部署コードからなるクライアントコード情報と、割符設定環境コードと、を持つライセンスキー情報と同一であることを確認し、確認することでダウンロード許可確認情報を取得し、当該連携クライアント端末が、ライセンスキー情報によって管理された電子割符ソフトウエアをインストール受信可能な連携クライアント端末であることを当該ダウンロード許可確認情報が確認し、
当該ダウンロード許可確認情報に基づいて、当該連携クライアント端末に、クライアント端末を介することなく当該電子割符ソフトウエアをダウンロードして提供して、当該連携クライアント端末に分割した割符から元の電子情報に復元させる処理を可能とさせ、当該連携クライアント端末が電子割符ソフトウエアをインストール受信したことを示すインストール受信情報に基づいて当該クライアント端末が統計した、クライアント端末群がインストール受信したインストール受信回数からなるインストール受信回数統計情報を取得すること
を特徴とする電子割符ソフトウエアを提供する電子割符ソフトウエア提供会社の端末による電子割符ソフトウエアの提供方法。
【請求項４】
端末で実行させるためのコンピュータプログラムを記録したコンピュータ読み取り可能な電子割符ソフトウエアを提供する電子割符ソフトウエア提供会社の端末であって、当該端末から当該端末に接続されたクライアント端末群に、クライアント端末群の端末で実行させるためのコンピュータプログラムを記録したコンピュータ読み取り可能な電子割符ソフトウエアを提供し利用させる電子割符ソフトウエア提供・利用システムであって、
クライアント端末群の端末で実行させるためのコンピュータプログラムを記録したコンピュータ読み取り可能な電子割符ソフトウエアを提供する電子割符ソフトウエア提供会社の端末が、記憶手段、演算処理手段及び入出力手段を備え、クライアントごとにクライアント端末及び当該クライアント端末に連携される連携クライアント端末から構成されるクライアント端末群にそれぞれ接続可能とされ、
記憶手段に、電子割符ソフトウエア提供会社から発行された情報であって、クライアントを示すクライアントＩＤコード及び当該クライアントＩＤコードに組み合わされた、クライアント内の部署を示す部署コードからなるクライアントコード情報と、割符設定環境を表す割符設定環境コード情報を含んで構成され、電子割符ソフトウエア提供会社とクライアントとの間で締結された契約で定められた電子割符ソフトウエアのダウンロードを許可するに際して用いられるライセンスキー情報と、からなる情報、クライアントＩＤコードが設定されたクライアント端末と、部署コードが設定され、クライアント端末にクライアントＩＤコードで連携される連携クライアント端末とからなるクライアント端末群、及び割符設定環境コード情報に関連付けられた、電子情報を割符に分割させ、保存させ、そして保存され、分割された割符から元の電子情報に復元させる当該電子割符ソフトウエアが登録され、
入出力手段が、前記クライアント端末群を構成する連携クライアント端末のいずれから、クライアントＩＤコード、部署コード及び割符設定環境コードを持つライセンスキー情報に基づいて、クライアント端末を介することなく電子割符ソフトウエアの提供要求を受け、
演算処理手段が、
クライアントＩＤコード、部署コード及び割符設定環境コードを持つライセンスキーに基づいた電子割符ソフトウエアの提供要求があったときに、当該ライセンスキーが電子割符ソフトウエア提供会社発行の、クライアントＩＤコード、部署コードからなるクライアントコード情報と、割符設定環境コードと、を持つライセンスキー情報と同一であることを確認し、確認することでダウンロード許可確認情報を取得し、当該連携クライアント端末が、ライセンスキー情報に関連された電子割符ソフトウエアをインストール可能な連携クライアント端末であることを当該ダウンロード許可確認情報が確認する電子割符ソフトウエア提供会社の端末と、
クライアントＩＤコードが設定されたクライアント端末及び部署コードが設定され、当該クライアント端末にクライアントＩＤコードで連携される連携クライアント端末からなるクライアント端末群と、からなる電子割符ソフトウエア提供・利用システムによる電子割符ソフトウエアの提供・利用方法において、
前記電子割符ソフトウエアを提供する電子割符ソフトウエア提供会社の端末が、当該ダウンロード許可確認情報に基づいて、当該連携クライアント端末に、クライアント端末を介することなく当該電子割符ソフトウエアをダウンロードして提供して、当該連携クライアント端末に分割した割符から元の電子情報に復元させる処理を可能とさせ、当該連携クライアント端末が電子割符ソフトウエアをインストール受信したことを示すインストール受信情報に基づいて当該クライアント端末が統計した、クライアント端末群がインストール受信したインストール受信回数からなるインストール受信回数統計情報を取得し、
前記連携クライアント端末が、割符設定環境コード情報に関連付けられ、前記クライアント端末を介することなくインストール受信した電子割符ソフトウエアでもって、電子情報を割符に分割し、保存し、そして保存し、分割した割符から元の電子情報に復元することを可能とし、電子割符ソフトウエアをインストール受信したことを前記クライアント端末に通信し、
前記クライアント端末が、クライアント端末群がインストール受信したインストール受信回数からなるインストール受信回数統計情報を統計し、インストール受信回数統計情報を電子割符ソフトウエア提供会社の端末に取得させること
を特徴とする電子割符ソフトウエアを提供し利用させる電子割符ソフトウエア提供・利用システムによる電子割符ソフトウエアの提供・利用方法。
【手続補正２】
【補正対象書類名】明細書
【補正対象項目名】００１０
【補正方法】変更
【補正の内容】
【００１０】
本発明は、端末で実行させるためのコンピュータプログラムを記録したコンピュータ読み取り可能な電子割符ソフトウエアを提供する電子割符ソフトウエア提供会社の端末であって、
記憶手段、演算処理手段及び入出力手段を備え、クライアントごとにクライアント端末及び当該クライアント端末によって管理され、連携される連携クライアント端末から構成されるクライアント端末群にそれぞれ接続可能とされ、
記憶手段に、電子割符ソフトウエア提供会社から発行された情報であって、クライアントを示すクライアントＩＤコード及び当該クライアントＩＤコードに組み合わされた、クライアント内の部署を示す部署コードからなるクライアントコード情報と、割符設定環境を表す割符設定環境コード情報を含んで構成され、電子割符ソフトウエア提供会社とクライアントとの間で締結された契約で定められた電子割符ソフトウエアのダウンロードを許可するに際して用いられるライセンスキー情報、クライアントＩＤコードが設定されたクライアント端末と、部署コードが設定され、クライアント端末にクライアントＩＤコードで連携される連携クライアント端末とからなるクライアント端末群、及び割符設定環境コード情報に関連付けられた、電子情報を割符に分割させ、保存させ、そして保存され、分割された割符から元の電子情報に復元させる当該電子割符ソフトウエアが登録され、
入出力手段が、前記クライアント端末群を構成する連携クライアント端末のいずれから、クライアントＩＤコード、部署コード及び割符設定環境コードを持つライセンスキー情報に基づいて、クライアント端末を介することなく電子割符ソフトウエアの提供要求を受け、
演算処理手段が、
クライアントＩＤコード、部署コード及び割符設定環境コードを持つライセンスキー情報に基づいた電子割符ソフトウエアの提供要求があったときに、当該ライセンスキー情報が電子割符ソフトウエア提供会社発行の、クライアントＩＤコード、部署コードからなるクライアントコード情報と、割符設定環境コードと、を持つライセンスキー情報と同一であることを確認し、当該連携クライアント端末が、当該ライセンスキー情報に関連された電子割符ソフトウエアをインストール受信可能な連携クライアント端末であることを示す情報であるダウンロード許可確認情報を取得し、
当該ダウンロード許可確認情報に基づいて、当該連携クライアント端末に、クライアント端末を介することなく当該電子割符ソフトウエアをダウンロードして提供して、当該連携クライアント端末に分割した割符から元の電子情報に復元させる処理を可能とさせ、当該連携クライアント端末が電子割符ソフトウエアをインストール受信したことを示すインストール受信情報に基づいて当該クライアント端末が統計した、クライアント端末群がインストール受信したインストール受信回数からなるインストール受信回数統計情報を取得すること
を特徴とする電子割符ソフトウエアを提供する電子割符ソフトウエア提供会社の端末を提供する。
本発明は、端末で実行させるためのコンピュータプログラムを記録したコンピュータ読み取り可能な電子割符ソフトウエアを提供する電子割符ソフトウエア提供会社の端末であって、当該端末から当該端末に接続されたクライアント端末群に、クライアント端末群の端末で実行させるためのコンピュータプログラムを記録したコンピュータ読み取り可能な電子割符ソフトウエアを提供し利用させる電子割符ソフトウエア提供・利用システムであって、
端末で実行させるためのコンピュータプログラムを記録したコンピュータ読み取り可能な電子割符ソフトウエアを提供する電子割符ソフトウエア提供会社の電子割符ソフトウエアを提供する端末であって、
記憶手段、演算処理手段及び入出力手段を備え、クライアントごとにクライアント端末及び当該クライアント端末に連携される連携クライアント端末から構成されるクライアント端末群にそれぞれ接続可能とされ、
記憶手段に、電子割符ソフトウエア提供会社から発行された情報であって、クライアントを示すクライアントＩＤコード及び当該クライアントＩＤコードに組み合わされた、クライアント内の部署を示す部署コードからなるクライアントコード情報と、割符設定環境を表す割符設定環境コード情報と、を含んで構成され、電子割符ソフトウエア提供会社とクライアントとの間で締結された契約で定められた電子割符ソフトウエアのダウンロードを許可するに際して用いられるライセンスキー情報、クライアントＩＤコードが設定されたクライアント端末と、部署コードが設定され、クライアント端末にクライアントＩＤコードで連携される連携クライアント端末とからなるクライアント端末群、及び割符設定環境コード情報に関連付けられた、電子情報を割符に分割させ、保存させ、そして保存され、分割された割符から元の電子情報に復元させる当該電子割符ソフトウエアが登録され、
入出力手段が、前記クライアント端末群を構成する連携クライアント端末のいずれから、クライアントＩＤコード、部署コード及び割符設定環境コードを持つライセンスキー情報に基づいて、クライアント端末を介することなく電子割符ソフトウエアの提供要求を受け、
演算処理手段が、
クライアントＩＤコード、部署コード及び割符設定環境コードを持つライセンスキー情報に基づいた電子割符ソフトウエアの提供要求があったときに、当該ライセンスキー情報が電子割符ソフトウエア提供会社発行の、クライアントＩＤコード、部署コードからなるクライアントコード情報と、割符設定環境コードと、を持つライセンスキー情報と同一であることを確認し、確認することでダウンロード許可確認情報を取得し、当該連携クライアント端末が、ライセンスキー情報によって管理された電子割符ソフトウエアをインストール受信可能な連携クライアント端末であることを当該ダウンロード許可確認情報が確認する電子割符ソフトウエア提供会社の電子割符ソフトウエアを提供する端末と、
クライアントＩＤコードが設定されたクライアント端末及び部署コードが設定され、当該クライアント端末にクライアントＩＤコードで連携される連携クライアント端末からなるクライアント端末群と、からなり、
前記電子割符ソフトウエア提供会社の端末が、当該ダウンロード許可確認情報に基づいて、当該連携クライアント端末に、クライアント端末を介することなく当該電子割符ソフトウエアをダウンロードして提供して、当該連携クライアント端末に分割した割符から元の電子情報に復元させる処理を可能とさせ、当該連携クライアント端末が電子割符ソフトウエアをインストール受信したことをしめすインストール受信情報に基づいて当該クライアント端末が統計した、クライアント端末群がインストール受信したインストール受信回数からなるインストール受信回数統計情報を取得し、
前記連携クライアント端末が、割符設定環境コード情報に関連付けられ、前記クライアント端末を介することなくインストール受信した電子割符ソフトウエアでもって、電子情報を割符に分割し、保存し、そして保存し、分割した割符から元の電子情報に復元することを可能とし、電子割符ソフトウエアをインストール受信したことを前記クライアント端末に通信し、
前記クライアント端末が、クライアント端末群がインストール受信したインストール受信回数からなるインストール受信回数統計情報を統計し、インストール受信回数統計情報を電子割符ソフトウエア提供会社の端末に取得させること
を特徴とする電子割符ソフトウエアを提供し利用させる電子割符ソフトウエア提供・利用システムを提供する。
本発明は、端末で実行させるためのコンピュータプログラムを記録したコンピュータ読み取り可能な電子割符ソフトウエアを提供する電子割符ソフトウエア提供会社の端末であって、
記憶手段、演算処理手段及び入出力手段を備え、クライアントごとにクライアント端末及び当該クライアント端末に連携される連携クライアント端末から構成されるクライアント端末群にそれぞれ接続可能とされる電子割符ソフトウエアを提供する電子割符ソフトウエア提供会社の端末による電子割符ソフトウエアの提供方法において、
記憶手段に、電子割符ソフトウエア提供会社から発行された情報であって、クライアントを示すクライアントＩＤコード及び当該クライアントＩＤコードに組み合わされた、クライアント内の部署を示す部署コードからなるクライアントコード情報と、割符設定環境を表す割符設定環境コード情報と、を含んで構成され、電子割符ソフトウエア提供会社とクライアントとの間で締結された契約で定められた電子割符ソフトウエアのダウンロードを許可するに際して用いられるライセンスキー情報、クライアントＩＤコードが設定されたクライアント端末と、部署コードが設定され、クライアント端末にクライアントＩＤコードで連携される連携クライアント端末とからなるクライアント端末群、及び割符設定環境コード情報に関連付けられた、電子情報を割符に分割させ、保存させ、そして保存され、分割された割符から元の電子情報に復元させる当該電子割符ソフトウエアが登録され、
入出力手段が、前記クライアント端末群を構成する連携クライアント端末のいずれから、クライアントＩＤコード、部署コード及び割符設定環境コードを持つライセンスキー情報に基づいて、クライアント端末を介することなく電子割符ソフトウエアの提供要求を受け、
演算処理手段が、
クライアントＩＤコード、部署コード及び割符設定環境コードを持つライセンスキー情報に基づいた電子割符ソフトウエアの提供要求があったときに、当該ライセンスキー情報が電子割符ソフトウエア提供会社発行の、クライアントＩＤコード、部署コードからなるクライアントコード情報と、割符設定環境コードと、を持つライセンスキー情報と同一であることを確認し、確認することでダウンロード許可確認情報を取得し、当該連携クライアント端末が、ライセンスキー情報によって管理された電子割符ソフトウエアをインストール受信可能な連携クライアント端末であることを当該ダウンロード許可確認情報が確認し、
当該ダウンロード許可確認情報に基づいて、当該連携クライアント端末に、クライアント端末を介することなく当該電子割符ソフトウエアをダウンロードして提供して、当該連携クライアント端末に分割した割符から元の電子情報に復元させる処理を可能とさせ、当該連携クライアント端末が電子割符ソフトウエアをインストール受信したことを示すインストール受信情報に基づいて当該クライアント端末が統計した、クライアント端末群がインストール受信したインストール受信回数からなるインストール受信回数統計情報を取得すること
を特徴とする電子割符ソフトウエアを提供する電子割符ソフトウエア提供会社の端末による電子割符ソフトウエアの提供方法を提供する。
本発明は、端末で実行させるためのコンピュータプログラムを記録したコンピュータ読み取り可能な電子割符ソフトウエアを提供する電子割符ソフトウエア提供会社の端末であって、当該端末から当該端末に接続されたクライアント端末群に、クライアント端末群の端末で実行させるためのコンピュータプログラムを記録したコンピュータ読み取り可能な電子割符ソフトウエアを提供し利用させる電子割符ソフトウエア提供・利用システムであって、
クライアント端末群の端末で実行させるためのコンピュータプログラムを記録したコンピュータ読み取り可能な電子割符ソフトウエアを提供する電子割符ソフトウエア提供会社の端末が、記憶手段、演算処理手段及び入出力手段を備え、クライアントごとにクライアント端末及び当該クライアント端末に連携される連携クライアント端末から構成されるクライアント端末群にそれぞれ接続可能とされ、
記憶手段に、電子割符ソフトウエア提供会社から発行された情報であって、クライアントを示すクライアントＩＤコード及び当該クライアントＩＤコードに組み合わされた、クライアント内の部署を示す部署コードからなるクライアントコード情報と、割符設定環境を表す割符設定環境コード情報を含んで構成され、電子割符ソフトウエア提供会社とクライアントとの間で締結された契約で定められた電子割符ソフトウエアのダウンロードを許可するに際して用いられるライセンスキー情報と、からなる情報、クライアントＩＤコードが設定されたクライアント端末と、部署コードが設定され、クライアント端末にクライアントＩＤコードで連携される連携クライアント端末とからなるクライアント端末群、及び割符設定環境コード情報に関連付けられた、電子情報を割符に分割させ、保存させ、そして保存され、分割された割符から元の電子情報に復元させる当該電子割符ソフトウエアが登録され、
入出力手段が、前記クライアント端末群を構成する連携クライアント端末のいずれから、クライアントＩＤコード、部署コード及び割符設定環境コードを持つライセンスキー情報に基づいて、クライアント端末を介することなく電子割符ソフトウエアの提供要求を受け、
演算処理手段が、
クライアントＩＤコード、部署コード及び割符設定環境コードを持つライセンスキーに基づいた電子割符ソフトウエアの提供要求があったときに、当該ライセンスキーが電子割符ソフトウエア提供会社発行の、クライアントＩＤコード、部署コードからなるクライアントコード情報と、割符設定環境コードと、を持つライセンスキー情報と同一であることを確認し、確認することでダウンロード許可確認情報を取得し、当該連携クライアント端末が、ライセンスキー情報に関連された電子割符ソフトウエアをインストール可能な連携クライアント端末であることを当該ダウンロード許可確認情報が確認する電子割符ソフトウエア提供会社の端末と、
クライアントＩＤコードが設定されたクライアント端末及び部署コードが設定され、当該クライアント端末にクライアントＩＤコードで連携される連携クライアント端末からなるクライアント端末群と、からなる電子割符ソフトウエア提供・利用システムによる電子割符ソフトウエアの提供・利用方法において、
前記電子割符ソフトウエアを提供する電子割符ソフトウエア提供会社の端末が、当該ダウンロード許可確認情報に基づいて、当該連携クライアント端末に、クライアント端末を介することなく当該電子割符ソフトウエアをダウンロードして提供して、当該連携クライアント端末に分割した割符から元の電子情報に復元させる処理を可能とさせ、当該連携クライアント端末が電子割符ソフトウエアをインストール受信したことを示すインストール受信情報に基づいて当該クライアント端末が統計した、クライアント端末群がインストール受信したインストール受信回数からなるインストール受信回数統計情報を取得し、
前記連携クライアント端末が、割符設定環境コード情報に関連付けられ、前記クライアント端末を介することなくインストール受信した電子割符ソフトウエアでもって、電子情報を割符に分割し、保存し、そして保存し、分割した割符から元の電子情報に復元することを可能とし、電子割符ソフトウエアをインストール受信したことを前記クライアント端末に通信し、
前記クライアント端末が、クライアント端末群がインストール受信したインストール受信回数からなるインストール受信回数統計情報を統計し、インストール受信回数統計情報を電子割符ソフトウエア提供会社の端末に取得させること
を特徴とする電子割符ソフトウエアを提供し利用させる電子割符ソフトウエア提供・利用システムによる電子割符ソフトウエアの提供・利用方法を提供する。
【手続補正３】
【補正対象書類名】明細書
【補正対象項目名】００１１
【補正方法】変更
【補正の内容】
【００１１】
本発明によれば、前記電子割符ソフトウエア提供会社の電子割符ソフトウエアを提供する端末が、ダウンロード許可確認に基づいて、当該連携クライアント端末に、クライアント端末を介することなく当該電子割符ソフトウエアをダウンロードして提供し、当該連携クライアント端末のインストール受信情報を当該クライアントＩＤコードの設定されたクライアント端末に発信させて、当該連携クライアント端末での割符形成復元させる処理を可能とさせ、当該クライアント端末が統計した、クライアント端末群がインストールしたインストール受信回数からなるインストール受信回数統計情報を取得することができる。
前記連携クライアント端末が、割符設定環境コード情報に関連付けられ、クライアント端末を介することなくインストールした電子割符ソフトウエアでもって、電子情報を割符に分割し、保存し、そして保存し、分割した割符から元の電子情報に復元することを可能とし、前記クライアント端末が、クライアント端末群がインストールしたインストール受信回数からなるインストール受信回数統計情報を統計し、インストール受信回数統計情報を電子割符ソフトウエア提供会社の端末に提供、取得させる。
クライアントＩＤごとに当該クライアントＩＤで連携されるクライアント端末からの電子割符ソフトウエア提供要求に対して、特定されたる電子割符ソフトウエアを、電子割符ソフトウエア提供会社の電子割符ソフトウエアを提供する端末からクライアント端末群のいずれかに直接的に迅速にダウンロードして提供することができ、対価処理に際して当該連携クライアントが電子割符ソフトウエアを一つ一つ契約を締結していく方法による煩雑さを避けることができ利用上の利便性が向上する。
【手続補正４】
【補正対象書類名】明細書
【補正対象項目名】００５６
【補正方法】変更
【補正の内容】
【００５６】
画面表示手段２５Ｂは、画面２５ＢＢに処理前処理後の種々の情報の表示を行う。
このように、
電子割符ソフトウエア提供会社の電子割符ソフトウエアを提供する端末が、ダウンロード許可確認に基づいて、当該連携クライアント端末に、当該電子割符ソフトウエアを直接にダウンロードして提供し、当該連携クライアント端末のインストール受信情報を当該クライアントＩＤコードの設定されたクライアント端末から送信させる。当該連携クライアント端末での割符形成復元させる直接処理を可能とさせ、当該クライアント端末が統計した、クライアント端末群がインストールしたインストール受信回数からなるインストール受信回数統計情報を間接取得する。
連携クライアント端末が、クライアント端末を介することなくアクテイベーション処理
することが可能とされ、割符設定環境コード情報に関連付けられ、直接入手したインストールした電子割符ソフトウエアでもって、電子情報を割符に分割し、保存し、そして保存し、分割した割符から元の電子情報に復元することを可能とする。また、インストール受信は、クライアント端末に対して行う。
クライアント端末が、クライアント端末群がインストールしたインストール受信回数をからなるインストール受信回数統計情報を統計し、インストール受信回数統計情報を電子割符ソフトウエア提供会社の端末に提供し、取得させる。クライアント端末自身もアクテイベーション処理することが可能とされる。
【手続補正５】
【補正対象書類名】明細書
【補正対象項目名】００５９
【補正方法】変更
【補正の内容】
【００５９】
クライアント端末群４のいずれかの端末から電子割符ソフトウエア提供会社の端末３に向けて、個別に電子割符ソフトウエア提供要求処理３１がなされる。電子割符ソフトウエア提供会社の電子割符ソフトウエアを提供する端末が、ダウンロード許可確認に基づいて、当該連携クライアント端末に、当該電子割符ソフトウエアをダウンロードする処理３２がなされ、電子割符ソフトウエア提供要求のあった端末（クライアント端末（１）〜クライアント端末（４）他のいずれか。）に提供される。電子情報漏洩対策装置６が形成される。電子割符ソフトウエアの提供になるインストール受信回数処理がなされ、処理データが、クライアント端末４（クライアント端末（１））で集計され統計されることでなされる。統計された電子割符ソフトウエアのインストール受信回数に基づいて、電子割符ソフトウエア利用に対する対価請求がなされる。
次に示される電子割符ソフトウエア提供・利用システムによる電子割符ソフトウエアの提供・利用方法が構成される。
前記電子割符ソフトウエア提供会社の電子割符ソフトウエアを提供する端末が、ダウンロード許可確認に基づいて、当該連携クライアント端末に、当該電子割符ソフトウエアを直接ダウンロードして提供し、当該連携クライアント端末のインストール受信情報を当該クライアントＩＤコードの設定されたクライアント端末に発信させて、当該連携クライアント端末での割符形成復元させる処理を可能とさせ、当該クライアント端末が統計した、クライアント端末群がインストールしたインストール受信回数からなるインストール受信回数統計情報を取得する。連携クライアント端末がインストールしたインストール受信回数を、クライアント端末を介して間接的に取得する。
前記連携クライアント端末が、クライアント端末を介することなく直接アクテイベーション処理することが可能とされ、可能割符設定環境コード情報に関連付けられ、インストールした電子割符ソフトウエアでもって、電子情報を割符に分割し、保存し、そして保存し、分割した割符から元の電子情報に復元することを可能とし、インストール回数を前記クライアント端末に送信する。
前記クライアント端末が、クライアント端末群がインストールしたインストール受信回数をからなるインストール受信回数統計情報を統計し、インストール受信回数統計情報を電子割符ソフトウエア提供会社の電子割符ソフトウエアを提供する端末に取得させる電子割符ソフトウエアの提供・利用システムによる電子割符ソフトウエアの提供・利用方法が構成される。